(57)【特許請求の範囲】
【請求項１】
電動車両と、前記電動車両が有する蓄電池への充電を制御するととともに、電気機器への電力供給を制御する電力制御装置とを備える電力制御システムであって、
前記電動車両は、
前記蓄電池と、
前記蓄電池の充電に関する充電情報を取得する充電情報取得部と、
前記電動車両に電力を供給する場所に前記電動車両が到着する前に、前記充電情報取得部によって取得された前記充電情報を送信する送信部とを含み、
前記電力制御装置は、
前記電動車両に電力を供給する場所に前記電動車両が到着する前に、前記送信部によって送信された前記充電情報を受信する受信部と、
前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部とを含むことを特徴とする電力制御システム。
【請求項２】
前記充電情報は、現在の前記蓄電池の残量を含み、
前記電力制御部は、現在の前記蓄電池の残量に応じて前記蓄電池への充電に要する時間を算出し、算出した前記蓄電池への充電に要する時間に基づいて、前記電気機器への電力供給開始時刻及び前記蓄電池への充電開始時刻を決定することを特徴とする請求項１記載の電力制御システム。
【請求項３】
前記充電情報は、前記電動車両の現在位置から前記電力制御装置が設置されている設置場所までの距離に基づいて求められた、前記設置場所への到着時点における前記蓄電池の残量の情報を含み、
前記電力制御部は、前記設置場所への到着時点における前記蓄電池の残量に応じて前記蓄電池への充電に要する時間を算出し、算出した前記蓄電池への充電に要する時間に基づいて、前記電気機器への電力供給開始時刻及び前記蓄電池への充電開始時刻を決定することを特徴とする請求項１又は２記載の電力制御システム。
【請求項４】
前記充電情報は、前記電動車両の現在位置から前記電力制御装置が設置されている設置場所までの距離に基づいて求められた、前記電力制御装置が設置されている設置場所に前記電動車両が到着する到着予定時刻を含み、
前記電力制御部は、前記蓄電池への充電開始時刻が前記到着予定時刻以降となり、かつ前記蓄電池の充電に必要な電力と、前記電気機器の運転による使用電力との合計電力が所定値を超えないように、前記電気機器への電力供給開始時刻及び前記蓄電池への充電開始時刻を決定することを特徴とする請求項１〜３のいずれかに記載の電力制御システム。
【請求項５】
前記充電情報は、前記電動車両の現在位置から前記電力制御装置が設置されている設置場所までの距離に基づいて求められた、前記設置場所への到着時点における前記蓄電池の残量の情報をさらに含み、
前記電力制御部は、前記設置場所への到着時点における前記蓄電池の残量に応じて前記蓄電池への充電に要する時間を算出し、算出した前記蓄電池への充電に要する時間と、前記到着予定時刻とに基づいて、前記電気機器への電力供給開始時刻及び前記蓄電池への充電開始時刻を決定することを特徴とする請求項４記載の電力制御システム。
【請求項６】
前記電動車両と前記電力制御装置との通信を仲介するサーバ装置をさらに備え、
前記サーバ装置は、
前記電動車両の現在位置から前記電力制御装置が設置されている設置場所までの距離を前記電動車両から受信する距離情報受信部と、
前記距離情報受信部によって受信された前記距離に基づいて、前記設置場所への到着時点における前記蓄電池の残量を算出する残量算出部と、
前記残量算出部によって算出された前記蓄電池の残量を前記電力制御装置へ送信する残量送信部とを含むことを特徴とする請求項３又は５記載の電力制御システム。
【請求項７】
前記電力制御装置は、時間帯に応じて異なる電気料金に関する電気料金情報を記憶する電気料金情報記憶部をさらに有し、
前記電力制御部は、前記電気料金情報記憶部に記憶されている前記電気料金情報を参照し、電気料金が所定料金以下となる時間帯に前記蓄電池への充電が終了するように、前記電気機器への電力供給開始時刻及び前記蓄電池への充電開始時刻を決定することを特徴とする請求項１〜６のいずれかに記載の電力制御システム。
【請求項８】
前記電力制御部は、前記電気機器への電力供給終了後に前記蓄電池への充電を開始し、前記電気機器への電力供給開始時刻が、電気料金が所定料金以下となる時間帯に収まらない場合、電気料金が所定料金以下となる時間帯だけ前記電気機器に電力を供給することを特徴とする請求項７記載の電力制御システム。
【請求項９】
前記電力制御部は、前記電気機器への電力供給終了後に前記蓄電池への充電を開始し、前記電気機器への電力供給開始時刻が、電気料金が所定料金以下となる時間帯に収まらない場合、電気料金が所定料金以下となる時間帯よりも前の時間帯から前記電気機器への電力供給を開始することを特徴とする請求項７記載の電力制御システム。
【請求項１０】
前記電力制御部は、前記電気料金情報記憶部に記憶されている前記電気料金情報に基づいて、前記充電開始時刻より前に前記電気機器の運転を開始した場合の電力使用料金と、前記充電終了時刻より後に前記電気機器の運転を開始した場合の電力使用料金とを算出し、算出した電力使用料金の安い方を選択することを特徴とする請求項７記載の電力制御システム。
【請求項１１】
前記電気機器は、湯を沸き上げるとともに、沸き上げた湯を貯える電気給湯機を含むことを特徴とする請求項１〜１０のいずれかに記載の電力制御システム。
【請求項１２】
電動車両が有する蓄電池への充電を制御するととともに、電気機器への電力供給を制御する電力制御方法であって、
前記蓄電池の充電に関する充電情報を取得する充電情報取得ステップと、
前記電動車両に電力を供給する場所に前記電動車両が到着する前に、前記充電情報取得ステップにおいて取得された前記充電情報を送信する送信ステップと、
前記送信ステップにおいて送信された前記充電情報を受信する受信ステップと、
前記受信ステップにおいて受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御ステップとを含むことを特徴とする電力制御方法。
【請求項１３】
電動車両が有する蓄電池への充電を制御するととともに、電気機器への電力供給を制御する電力制御装置であって、
前記電動車両に電力を供給する場所に前記電動車両が到着する前に、前記電動車両から送信された前記蓄電池の充電に関する充電情報を受信する受信部と、
前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部とを備えることを特徴とする電力制御装置。
【請求項１４】
電動車両が有する蓄電池への充電を制御するととともに、電気機器への電力供給を制御する電力制御プログラムであって、
前記電動車両に電力を供給する場所に前記電動車両が到着する前に、前記電動車両から送信された前記蓄電池の充電に関する充電情報を受信する受信部と、
前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部としてコンピュータを機能させることを特徴とする電力制御プログラム。
【発明の詳細な説明】
【技術分野】
【０００１】
本発明は、電動車両が有する蓄電池への充電を制御するととともに、電気機器への電力供給を制御する電力制御システム、電力制御方法、電力制御装置及び電力制御プログラムに関するものである。
【背景技術】
【０００２】
一般家庭において、電力供給側の電力需要の平準化のために設定される時間帯別電気料金制度を活用すると電力使用料金が安くなる。時間帯別電気料金制度の一例をあげると、午後１１時〜午前７時の電力使用料金は１ｋＷｈあたり９円程度、午後５時〜午後１１時及び午前７時〜午前１０時の電力使用料金は１ｋＷｈあたり２３円程度、午前１０時〜午後５時の電力使用料金は１ｋＷｈあたり２８円〜３３円程度である。【０００３】
午後１１時〜午前７時の一番安い電力使用料金は、午前１０時〜午後５時の電力使用料金の約１／３である。本明細書ではこのような電力使用時間帯と電力使用料金との関連情報を時間帯別電力使用料金情報（又は時間帯別電気料金情報）とする。【０００４】
以下、時間帯別電力使用料金情報は上記例の通り、午後１１時〜午前７時を電力使用料金の最も安い時間帯として説明する。【０００５】
電力使用料金の最も安い時間帯（午後１１時〜午前７時）にあわせて予約運転する電気機器として、ヒートポンプ給湯機又は電気温水器などの貯湯式の電気給湯機がある。電気給湯機は、電力使用料金の最も安い時間帯に沸き上げ、貯湯しておき、昼間の電力使用料金の高い時間帯に貯湯した湯を消費する。近年、このような貯湯式給湯機を備えたオール電化住宅が増えている。【０００６】
また、電気給湯機以外で消費電力の大きな電気機器として、エアコンのような冷暖房機器、炊飯器のような調理機器、並びに衣類洗濯機、衣類乾燥機及び食器洗い乾燥機のような家事機器がある。これらの電気機器は、使用者が電力使用料金の最も安い時間帯に意識して運転したり、電力使用料金の最も安い時間帯に動作するようにタイマー予約を設定したりすることが考えられる。【０００７】
これらの電気機器に加えて、蓄エネルギー機器が増えつつある。例えば、電気自動車、プラグイン自動車及び電動二輪車の蓄電池は、家庭で充電することがある。また、家庭内に蓄電池がある場合、電力が余っているときに蓄電池に充電し、電力が必要なときに蓄電池を放電する。最近では、技術革新及び石油高騰により、電気自動車及び電動二輪車が普及する兆しがある。電気自動車及び電動二輪車は、多くの場合、家庭で車載バッテリーを充電する必要があり、電力使用料金の最も安い時間帯にあわせて運転する者、あるいは、運転したい者が、これから確実に増えてくると考えられる。【０００８】
一方、家庭には使用電力の上限が契約により定められている。この契約電力（許容電力）を超えると家全体のアンペアブレーカが落ちる。したがって、例えば、電力使用料金の最も安い午後１１時〜午前７時に上記のような家電機器の運転を集中させすぎると、夜中にアンペアブレーカが落ちるおそれがある。アンペアブレーカが落ちたことに使用者が気づかなければ、朝起きたときに、湯が沸いていない、朝起きて予約設定していた炊飯器のご飯が炊けていない、又は電気自動車の蓄電池が未充電で電気自動車を通勤に使えないということが起きうる。【０００９】
すなわち、夜中の寝ているときにタイマー予約などで家電機器の運転を集中させるときは、許容電力を超えないように事前に確認しなければならない。【００１０】
以上は一般家庭で説明したが、一般家庭に限らず、様々な電気機器及び電動の運送車両を備える事務所、工場、及び店舗などの商業施設でも使用電力の上限である契約電力があり、契約電力の範囲内で効率的にかつ安い電力使用料金で電気機器を使いたいというニーズがある。【００１１】
従来の発明として、夜中に電気機器の運転と電動車両の蓄電池の充電とを併用して行うときに家全体の使用電力を考慮して契約電力又は許容電力を超えてブレーカが落ちないよう充電装置の使用電力を減らすように制御するものがある（例えば、特許文献１及び特許文献２参照）。【００１２】
特許文献１には、電子レンジを使用することにより契約電流を超えるときに家庭電池や車載電池への充電電流を減らす車載電池充電装置が記載されている。この車載電池充電装置は、契約電力を超える直前になって電流制御を行うもので、電子レンジが使用する電流と充電の電流とを予め見積もって計画的に電流制御を行うものではない。【００１３】
また、特許文献２には、住宅の予想電力負荷マップを作成して、契約電力を超えないように車載電池の充電開始から充電終了までの使用電力を調整する充電電力マネジメントシステムが記載されている。【００１４】
また、特許文献３には、電気機器の運転と電動車両の蓄電池の充電とで併用して行うときにブレーカが落ちないように制御するものではないが、例えばレンタカー事務所において、複数の電動車両を充電するときに、各車両の使用開始時刻と目的地へ行くための必要充電量とから充電計画を作成することが記載されている。このとき、使用開始時刻及び目的地へ行くまでの必要充電量を算出するためにカーナビゲーション装置が利用されている。【００１５】
しかしながら、従来の方法は、電子レンジのような使用者がすぐ使用したい電気機器と、車載バッテリーの充電装置のような後回し可能な電気機器とを組合せた併用運転である。そのため、電子レンジを優先して使用している期間は、車載バッテリーへの充電のための使用電力を減らすことにより、契約電力以下で制御することができる。上記のような調理機器の使用時間は比較的短時間（数分〜せいぜい十数分程度）であるので、その使用電力を一時的に譲るような制御は、例えば、必要なときに湯が沸いていない、又は充電不足で電気自動車が動かないといった大きな副作用を伴わずに可能である。しかしながら、比較的長時間電力を供給し続ける電気給湯機と、比較的長時間充電が必要な電気自動車とを家庭で使用する場合には、電気の取り合いになって競合しないように配慮して、電気給湯機への電力供給と、車載バッテリーへの充電とが時間的に重ならないようにする必要が生じる。【００１６】
電力使用料金の最も安い時間帯に電気給湯機による沸き上げと車載バッテリーへの充電とを終えるようにすることが最も好ましいのは言うまでもないが、どちらか一方の機器を優先する必要が生じて、他方の機器の使用電力を減らした場合には、大変な不便が強いられる恐れもある。すなわち、必要とする時間帯になっても電気給湯機の湯が沸きあがっておらずに湯が使用できないとか、電気自動車で出かけようとしても目的地に達するだけのバッテリー充電がなされていないといった不便が予想される。【００１７】
さらに、電気自動車の場合、日によって走行距離が著しく変化することもあるため、充電開始時点での車載バッテリーの残量変動も大きな要素になってくる。【００１８】
もちろん、車載バッテリーの残量が多い場合はほとんど問題ではないが、走行距離が著しく長く、車載バッテリーの残量が非常に少ない場合、充電時間が長くなる、あるいは、いつもより大電流充電が必要となるといった流動的な要素も加わって、電力制御が非常に難しくなる。特に、電気給湯機の沸き上げ終了後に車載バッテリーに充電したとしても、翌朝までにフル充電できないといった状況もある。【００１９】
このように、電子レンジのような短時間使用される電気機器と電気自動車とを組み合わせた従来の電力制御では、電気給湯機及び電気自動車のように大電流を長時間使用する機器どうしを組み合せたときには解決できない課題がある。【００２０】
また、電動車両は、充電スタンドを利用して急速充電を行う場合を除いて、基本的に外出中に蓄電池を充電することができないので、帰宅又は帰社しているときはできるだけ充電したいという要望がある。このようなときに前記従来の方法は有効であるが基本的な課題がある。それは、帰宅して電動車両を充電装置に接続してはじめて充電計画の作成が可能となることである。【００２１】
すなわち、家庭では外出中の電動車両がいつ帰ってくるのかわからない状態で電力使用料金の最も安い時間帯に電気機器が運転される。電気機器の運転の最中に電動車両が帰宅すると、電動車両の充電を最優先にした充電計画を作成し、運転中の電気機器又は運転を予定していた電気機器への電力供給を調整し直す場合が発生する。【００２２】
例えば、電力使用料金の最も安い時間帯（午後１１時〜午前７時）を利用して、午後１１時過ぎから衣類洗濯乾燥機によって洗濯を行っていたが、午後１１時半頃に電動車両が帰宅した場合を考える。【００２３】
電動車両の充電を優先して電動車両の充電が終わるまで衣類洗濯乾燥機の運転を中断した場合、洗濯中の衣類が数時間のあいだ洗剤液に濡れたままとなり衣類によくない。そのため、衣類洗濯乾燥機の運転が終わるのを待ってから電動車両を充電することになる。【００２４】
また別の例をあげると、電力使用料金の最も安い時間帯を利用して湯を沸かす電気給湯機がある。沸かした湯は貯湯タンクに蓄えられる。貯湯タンクは熱が外部に逃げにくい構成となっているが、できるかぎり湯を使う直前で沸かすことが望まれるので、朝食の準備及び後かたづけに湯を使えるよう午前７時の直前に沸き上がるようにする。例えば午前５時頃から湯を沸かすように設定しているとする。【００２５】
ここで、午前５時頃に電動車両が帰宅した場合を考える。午前８時から電動自動車を使用するため、帰宅してすぐに電動車両を優先して充電する。そのあいだ充電が終わるまで電気給湯機の沸き上げ運転を中断する。そして、電動車両への充電が終わると電気給湯機はすぐに湯を沸かし始める。【００２６】
しかしながら、充電時間が長くなり、午前７時を過ぎても湯の沸き上げが終わらない場合は、朝食の準備に湯が間に合わなくなる。また、電力使用料金の最も安い時間帯を過ぎてから、電気給湯機に大きな電力を供給することが起こりうる。【００２７】
このように、従来は、電動車両が帰宅してから充電を優先する充電計画を作成するので、帰宅のタイミングによっては電気機器の運転と調整できないことがある。
【先行技術文献】
【特許文献】
【００２８】
【特許文献１】特開２００８−１４１９２４号公報（段落００１５、００２８、図１２）
【特許文献２】特開２００８−１３６２９１号公報（図５）
【特許文献３】特開２００９−１３６１０９号公報（段落００５０）
【発明の概要】
【００２９】
本発明は、上記の問題を解決するためになされたもので、電気機器への電力供給と電動車両への充電とを効率よく行うことができる電力制御システム、電力制御方法、電力制御装置及び電力制御プログラムを提供することを目的とするものである。
【００３０】
本発明の一局面に係る電力制御システムは、電動車両と、前記電動車両が有する蓄電池への充電を制御するととともに、電気機器への電力供給を制御する電力制御装置とを備える電力制御システムであって、前記電動車両は、前記蓄電池と、前記蓄電池の充電に関する充電情報を取得する充電情報取得部と、前記電動車両に電力を供給する場所に前記電動車両が到着する前に、前記充電情報取得部によって取得された前記充電情報を送信する送信部とを含み、前記電力制御装置は、前記電動車両に電力を供給する場所に前記電動車両が到着する前に、前記送信部によって送信された前記充電情報を受信する受信部と、前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部とを含む。
【００３１】
この構成によれば、電力制御システムは、電動車両と、電動車両が有する蓄電池への充電を制御するととともに、電気機器への電力供給を制御する電力制御装置とを備える。電動車両において、蓄電池と、蓄電池の充電に関する充電情報が取得され、電動車両に電力を供給する場所に電動車両が到着する前に、取得された充電情報が送信される。そして、電力制御装置において、電動車両に電力を供給する場所に電動車両が到着する前に、送信部によって送信された充電情報が受信され、受信された充電情報に基づいて、電気機器への電力供給と蓄電池への充電とが所定時刻までに完了するように、電気機器への電力供給開始時刻及び蓄電池への充電開始時刻が決定される。
【００３２】
本発明によれば、電動車両に電力を供給する場所に電動車両が到着する前に、電気機器への電力供給と蓄電池への充電とが所定時刻までに完了するように、電気機器への電力供給開始時刻及び蓄電池への充電開始時刻が決定されるので、電気機器への電力供給と電動車両への充電とを効率よく行うことができる。
【００３３】
本発明の目的、特徴及び利点は、以下の詳細な説明と添付図面とによって、より明白となる。
【図面の簡単な説明】
【００３４】
【図１】本発明の実施の形態１における電力制御システムの構成の一例を示す図である。
【図２】本発明の実施の形態１における制御判定部の処理を示す第１のフローチャートである。
【図３】本発明の実施の形態１における制御判定部の処理を示す第２のフローチャートである。
【図４】電気料金が最も安い電力時間帯に、電気給湯機の沸き上げ時間帯と車載バッテリーへの充電時間帯とが収まる場合の、時間帯別電気料金情報と、消費電力と、時間との関係を示す図である。
【図５】経済性を優先したときの、時間帯別電気料金情報と、消費電力と、時間との関係を示す図である。
【図６】利便性を優先したときの、時間帯別電気料金情報と、消費電力と、時間との関係を示す図である。
【図７】本発明の実施の形態２における電力制御システムの構成の一例を示す図である。
【図８】本発明の実施の形態３における電力制御システムの構成の一例を示す図である。
【図９】図８に示すサーバ装置の構成を示す図である。
【図１０】本発明の実施の形態４における制御判定部１１の処理を示す第１のフローチャートである。
【図１１】本発明の実施の形態４における制御判定部１１の処理を示す第２のフローチャートである。
【図１２】本発明の実施の形態４における沸き上げ時間と充電時間との一例を示す図である。
【図１３】沸き上げ時間を繰り上げる場合の沸き上げ時間と充電時間との一例を示す図である。
【図１４】沸き上げ時間を繰り上げるとともに、電気料金が最も安い時間帯を超えて沸き上げる場合の沸き上げ時間と充電時間との一例を示す図である。
【図１５】沸き上げ時間を分割する場合の沸き上げ時間と充電時間との一例を示す図である。
【図１６】充電後に沸き上げする場合の沸き上げ時間と充電時間との一例を示す図である。
【図１７】本発明の実施の形態５における電力制御システムの構成の一例を示す概観図である。
【図１８】本発明の実施の形態５における電力制御システムの構成の一例を示すブロック図である。
【図１９】本発明の実施の形態５における電気機器の使用電力例を示す図である。
【図２０】本発明の実施の形態５における時間帯別電力使用料金情報の一例を示す図である。
【図２１】蓄電池がリチウム電池である場合の充電シーケンスを示す図である。
【図２２】本発明の実施の形態５における電気機器の動作を説明するためのフローチャートである。
【図２３】本発明の実施の形態５における優先順位の一例を示す図である。
【図２４】（Ａ）は、充電開始時刻が運転時間に重なる場合における制御計画の一例を示す図であり、（Ｂ）は、充電終了時刻が運転時間に重なる場合における制御計画の一例を示す図であり、（Ｃ）は、充電時間の前に運転時間をずらした場合における制御計画の一例を示す図であり、（Ｄ）は、充電時間の後に運転時間をずらした場合における制御計画の一例を示す図である。
【図２５】（Ａ）は、充電時間の前に運転時間をずらした場合における制御計画の一例を示す図であり、（Ｂ）は、充電時間の後に運転時間をずらした場合における制御計画の一例を示す図であり、（Ｃ）は、電力使用料金の最も安い時間帯の開始時刻から電気機器の運転を開始し、充電時間の前に運転を終了させる場合における制御計画の一例を示す図である。
【図２６】（Ａ）は、充電時間の前に運転時間をずらした結果、電気機器の運転時間が、電気料金の最も安い時間帯を過ぎた場合における制御計画の一例を示す図であり、（Ｂ）は、（Ａ）の状態から、運転時間及び充電時間を後にずらした場合における制御計画の一例を示す図であり、（Ｃ）は、電気機器の運転時間を分割させる場合における制御計画の一例を示す図である。
【図２７】図２２のステップＳ６０の制御計画作成処理について説明するための第１のフローチャートである。
【図２８】図２２のステップＳ６０の制御計画作成処理について説明するための第２のフローチャートである。
【図２９】本発明の実施の形態５における運転時間と充電時間との一例を示す図である。
【図３０】運転時間を繰り上げる場合の運転時間と充電時間との一例を示す図である。
【図３１】運転時間を繰り下げる前の運転時間と充電時間との一例を示す図である。
【図３２】運転時間を繰り下げた後の運転時間と充電時間との一例を示す図である。
【図３３】運転時間を繰り上げる前の運転時間と充電時間との一例を示す図である。
【図３４】運転時間を繰り上げた後の運転時間と充電時間との一例を示す図である。
【図３５】運転時間及び充電時間を繰り下げた後の運転時間と充電時間との一例を示す図である。
【図３６】運転時間を繰り上げた後、現在時刻から帰宅予想時刻までの時間が、運転時間より長くなっている場合の運転時間と充電時間との一例を示す図である。
【図３７】現在時刻から帰宅予想時刻までの時間が、運転時間以下であり、運転時間を繰り下げた場合の運転時間と充電時間との一例を示す図である。
【図３８】本発明の実施の形態６における電力制御システムの構成の一例を示すブロック図である。
【発明を実施するための形態】
【００３５】
以下添付図面を参照しながら、本発明の実施の形態について説明する。尚、以下の実施の形態は、本発明を具体化した一例であって、本発明の技術的範囲を限定する性格のものではない。
【００３６】
（実施の形態１）
図１は、本発明の実施の形態１における電力制御システムの構成の一例を示す図である。以下、図１を用いて説明する。
【００３７】
図１に示す電力制御システムは、電気給湯機１及び電気自動車２を備える。電気自動車２は、電動車両の一例であり、電動車両は、内蔵する蓄電池からの電力供給により動く車両である。
【００３８】
電気自動車２は、駆動用モータ及び車載電装品を稼動させるための車載バッテリー２３と、充電プラグ２４と、充電情報検知部２２と、第１の通信部２１とを具備している。車載バッテリー２３は、充電プラグ２４を介して給電部１３（後述）から充電される。充電情報検知部２２は、蓄電池の充電に関する充電情報を取得する。充電情報検知部２２は、車載バッテリー２３の現在の残量を含む充電情報を検知する。第１の通信部２１は、電気自動車２に電力を供給する場所に電気自動車２が到着する前に、充電情報検知部２２によって取得された充電情報を送信する。第１の通信部２１は、充電情報検知部２２によって検知された充電情報を随時送信する。
【００３９】
第１の通信部２１の通信経路は、電気自動車２の走行中に刻々と変化する車載バッテリー２３の残量に関する充電情報を常時又は定期的に通信することが最も好ましく、例えば、常時又は定期的に通信可能ないわゆるモバイル通信網（携帯電話通信網、ＰＨＳ（Ｐｅｒｓｏｎａｌ  Ｈａｎｄｙ−ｐｈｏｎｅ  Ｓｙｓｔｅｍ）通信網、ＷｉＦｉ及びＷｉＭａｘなど）で構成される。充電情報は、最終的には家屋内に設置されている電気給湯機１の具備する第２の通信部１４で受信され、制御判定部１１に取り込まれる。
【００４０】
電気給湯機１は、沸き上げ部１０と、給電部１３と、電力制御装置１６とを備える。沸き上げ部１０は、湯を沸き上げるとともに、沸き上げた湯を貯湯タンク（不図示）に貯える。給電部１３は、充電プラグ２４を介して車載バッテリー２３に電力を供給し、車載バッテリー２３を充電する。
【００４１】
電力制御装置１６は、制御判定部１１と、時計部１２と、第２の通信部１４と、表示入力部１５と、電気料金情報記憶部１７とを備える。時計部１２は、時間を計測し、現在時刻を出力する。第２の通信部１４は、電気自動車２に電力を供給する場所に電気自動車２が到着する前に、第１の通信部２１によって送信された充電情報を受信する。表示入力部１５は、種々の情報を表示するとともに、使用者による入力を受け付ける。
【００４２】
制御判定部１１は、第２の通信部１４によって受信された充電情報に基づいて、電気給湯機１への電力供給と車載バッテリー２３への充電とが所定時刻までに完了するように、電気給湯機１への電力供給開始時刻及び車載バッテリー２３への充電開始時刻を決定する。
【００４３】
制御判定部１１は、この電力制御システムの中心的な役割を果たしており、データ算出処理、判定処理及び各部の制御を行う。充電情報は、現在の車載バッテリー２３の残量を含む。制御判定部１１は、車載バッテリー２３の残量に応じて車載バッテリー２３への充電に要する時間を算出し、算出した車載バッテリー２３への充電に要する時間に基づいて、電気給湯機１への電力供給開始時刻及び車載バッテリー２３への充電開始時刻を決定する。
【００４４】
具体的には、制御判定部１１は、時計部１２から時間を読み込んで、沸き上げ部１０に沸き上げ指示を行う。また、制御判定部１１は、沸き上げ部１０に沸き上げ中止の指示を行った後に、給電部１３及び充電プラグ２４を介して、車載バッテリー２３への充電を制御する。さらに、制御判定部１１は、車載バッテリー２３の残量に応じた充電に要する時間を算出したり、電気給湯機１で湯を沸き上げるのに要する時間（沸き上げ時間）を算出したり、一定の時間当たりに沸き上げ可能な湯量を算出したり、湯を沸き上げるのに要する電気料金を算出したりする。
【００４５】
電気料金情報記憶部１７は、時間帯に応じて異なる電気料金に関する時間帯別電気料金情報を記憶している。制御判定部１１は、時間帯別電気料金情報に基づいて、沸き上げ部１０での沸き上げと、車載バッテリー２３への充電とが効率的に行われるように制御する。なお、ここで述べている効率的とは、時間帯別電気料金情報に基づいて、最も電気料金が安くなるように制御することだけではなく、使用者の省エネルギーに関する意図も考慮して、電気料金よりも利便性を追求することも含んでいる。
【００４６】
時間帯別電気料金情報は、時間帯や季節に応じて変化するが、それ以外にも、契約している契約者（家庭又は事務所）毎に異なる時間帯及び料金であってもよい。また、時間帯別電気料金情報は、電力を使用する電気機器の種類毎（家庭用機器又は業務用機器）に異なる時間帯及び料金であってもよい。
【００４７】
また、制御判定部１１は、電気給湯機１への電力供給終了後に車載バッテリー２３への充電を開始し、電気給湯機１への電力供給開始時刻が、電気料金が所定料金以下となる時間帯に収まらない場合、電気料金が所定料金以下となる時間帯だけ電気給湯機１に電力を供給する。
【００４８】
さらに、制御判定部１１は、電気給湯機１への電力供給終了後に車載バッテリー２３への充電を開始し、電気給湯機１への電力供給開始時刻が、電気料金が所定料金以下となる時間帯に収まらない場合、電気料金が所定料金以下となる時間帯よりも前の時間帯から電気給湯機１への電力供給を開始する。
【００４９】
なお、本実施の形態において、電気自動車２が電動車両の一例に相当し、車載バッテリー２３が蓄電池の一例に相当し、電気給湯機１が電気機器の一例に相当し、電力制御装置１６が電力制御装置の一例に相当し、充電情報検知部２２が充電情報取得部の一例に相当し、第１の通信部２１が送信部の一例に相当し、第２の通信部１４が受信部の一例に相当し、制御判定部１１が電力制御部の一例に相当し、電気料金情報記憶部１７が電気料金情報記憶部の一例に相当する。
【００５０】
制御判定部１１の処理は複雑であるため、図２〜図６を用いて説明する。
【００５１】
図２及び図３は、本発明の実施の形態１における制御判定部１１の処理を示すフローチャートである。図２においては、特に、時間帯別電気料金情報に示される電気料金が最も安い電力時間帯に、電気給湯機１の沸き上げ時間帯と車載バッテリー２３への充電時間帯とが収まる場合の処理を示している。図４は、電気料金が最も安い電力時間帯に、電気給湯機１の沸き上げ時間帯と車載バッテリー２３への充電時間帯とが収まる場合の、時間帯別電気料金情報と、消費電力と、時間との関係を示す図である。
【００５２】
まず、制御判定部１１は、電気給湯機１の沸き上げに要する時間（沸き上げ時間）を算出する（ステップＳ１）。例えば、制御判定部１１は、貯湯すべき湯量と沸き上げ時間とを対応付けたテーブルを予め記憶しており、貯湯すべき湯量を取得し、取得した貯湯すべき湯量に対応する沸き上げ時間をテーブルから抽出することにより、沸き上げ時間を算出する。
【００５３】
次に、制御判定部１１は、第２の通信部１４経由で車載バッテリー２３の充電に関する情報（充電情報）を取得する（ステップＳ２）。次に、制御判定部１１は、取得した充電情報に基づいて車載バッテリー２３の充電に要する時間（充電時間）を取得又は算出する（ステップＳ３）。
【００５４】
なお、充電情報が充電時間に関する情報を含む場合、制御判定部１１は、第２の通信部１４から充電時間に関する情報を取得する。一方、充電情報が充電時間に関する情報を含んでおらず、充電情報が車載バッテリー２３の残量に関する情報を含んでいる場合、制御判定部１１は、バッテリー残量に基づいて充電時間を算出する。例えば、制御判定部１１は、バッテリー残量と充電時間とを対応付けたテーブルを予め記憶しており、取得したバッテリー残量に対応する充電時間をテーブルから抽出することにより、充電時間を算出する。本実施の形態１において、制御判定部１１は、車載バッテリー２３の現在の残量に基づいて充電時間を算出する。
【００５５】
次に、制御判定部１１は、沸き上げ時間と充電時間とを足し合わせた合計時間を算出する（ステップＳ４）。次に、制御判定部１１は、算出した合計時間を時間帯別電気料金情報に照らし合わせる（ステップＳ５）。
【００５６】
次に、制御判定部１１は、合計時間が、電気料金が最も安い電力時間帯に収まるか否かを判定する（ステップＳ６）。ここで、合計時間が、電気料金が最も安い電力時間帯に収まると判定された場合（ステップＳ６でＹＥＳ）、制御判定部１１は、時計部１２より取得した現在時刻が、時間帯別電気料金情報に記載される電気料金が最も安い時間帯に到達したか否かを判断する（ステップＳ７）。
【００５７】
ここで、現在時刻が、電気料金が最も安い時間帯に到達していないと判断された場合（ステップＳ７でＮＯ）、制御判定部１１は、ステップＳ２の処理へ戻り、ステップＳ２以降の処理を行う。すなわち、制御判定部１１は、現在時刻が、電気料金が最も安い時間帯に到達するまでステップＳ２からステップＳ７までの処理を繰り返す。ステップＳ２から処理を繰り返すことにより、常に最新の車載バッテリー２３の情報に応じた対応が行えるようになる。
【００５８】
一方、時計部１２より取得した現在時刻が、時間帯別電気料金情報に記載される電気料金が最も安い時間帯に到達したと判断された場合（ステップＳ７でＹＥＳ）、制御判定部１１は、沸き上げの開始を沸き上げ部１０へ指示する（ステップＳ８）。次に、制御判定部１１は、沸き上げが終了したか否かを判断する（ステップＳ９）。ここで、沸き上げが終了していないと判断された場合（ステップＳ９でＮＯ）、沸き上げが終了するまで沸き上げを継続する。
【００５９】
一方、沸き上げが終了したと判断された場合（ステップＳ９でＹＥＳ）、制御判定部１１は、車載バッテリー２３への充電の開始を給電部１３へ指示する（ステップＳ１０）。次に、制御判定部１１は、車載バッテリー２３への充電が終了したか否かを判断する（ステップＳ１１）。ここで、車載バッテリー２３への充電が終了していないと判断された場合（ステップＳ１１でＮＯ）、車載バッテリー２３への充電が終了するまで車載バッテリー２３への充電を継続する。一方、車載バッテリー２３への充電が終了したと判断された場合（ステップＳ１１でＹＥＳ）、制御判定部１１は、沸き上げ及びバッテリー充電の一連の処理を終了する。
【００６０】
ここまでは、沸き上げ時間と充電時間とを足し合わせて算出した合計時間を、時間帯別電気料金情報に照らし合わせて、当該合計時間が、電気料金が最も安い電力時間帯に必ず収まるという場合だけに絞って説明してきた。図４は、沸き上げ時間と充電時間との合計時間が、電気料金が最も安い電力時間帯に収まる場合における、沸き上げ期間と、車載バッテリー充電期間と、時間帯別電気料金情報との関係を示している。図４では、沸き上げ期間と充電期間との両方の期間が、９円／ＫＷＨという電気料金が最も安い電力時間帯に収まっていることを示しており、限界電力を超えることなく、すなわちブレーカが落ちて停電することなく、順調に沸き上げと充電とが完了していることがわかる。
【００６１】
しかしながら、実際には、電気自動車２の走行距離が長くなった時のように、沸き上げ時間と充電時間とを足し合わせて算出した合計時間を、時間帯別電気料金情報に照らし合わせみると、当該合計時間が、電気料金が最も安い電力時間帯に収まらないことも起こりうる。その場合には、ステップＳ６の判定条件の次に図３のステップＳ１２の処理に進むことになる。
【００６２】
図３は、図２におけるステップＳ６で合計時間が、電気料金が最も安い電力時間帯に収まらないと判定された場合の処理の詳細をしており、図３においては、特に、時間帯別電気料金情報に示される電気料金が最も安い電力時間帯に、沸き上げ時間と車載バッテリーへの充電時間とが収まらなかった場合の処理の流れを示している。
【００６３】
さらに、図５は、経済性を優先したときの、時間帯別電気料金情報と、消費電力と、時間との関係を示す図であり、図６は、利便性を優先したときの、時間帯別電気料金情報と、消費電力と、時間との関係を示す図である。
【００６４】
図２のステップＳ６において、合計時間が、電気料金が最も安い電力時間帯に収まらないと判定された場合（ステップＳ６でＮＯ）、制御判定部１１は、使用者に対して、表示入力部１５にて経済性を優先するのか、あるいは、経済性を無視して利便性を優先するのかを選択させる（図３のステップＳ１２）。ただし、この表示入力を行うときに、必ず使用者が電気給湯機１の近くにいるとは限らない。そのため、使用者が事前に経済性及び利便性のうちのいずれを優先させるのかを選択しておくことも可能である。そのような場合は、表示入力部１５での表示及び入力を促す動作は行われず、ステップＳ１２の処理はパスされることになる。このとき、制御判定部１１は、表示入力部１５を用いて経済性及び利便性のいずれを優先させるかを事前に使用者に選択させ、経済性及び利便性のいずれを優先させるかを表す情報を記憶する。
【００６５】
次に、制御判定部１１は、経済性を優先するか否かを判断する（ステップＳ１３）。ここで、ステップＳ１３において利便性ではなくて、経済性を優先することを使用者が選択した場合について、図３及び図５を用いて説明する。
【００６６】
経済性を優先すると判断された場合、すなわち使用者が経済性を優先することを選択した場合（ステップＳ１３でＹＥＳ）、制御判定部１１は、合計時間が、電気料金が最も安い電力時間帯に収まるように、沸き上げる湯量を減量して、減量した沸き上げ湯量と、減量した湯量を沸き上げるのに必要な電気料金とを算出する（ステップＳ１４）。すなわち、制御判定部１１は、電気料金が最も安い電力時間帯から、車載バッテリー２３の充電時間を減算した残りの時間内に沸き上げることが可能な湯量を算出する。
【００６７】
次に、制御判定部１１は、減量した沸き上げ湯量と、減量した湯量を沸き上げるのに必要な電気料金とを表示入力部１５に表示して、使用者の承諾を要求する（ステップＳ１５）。ただし、この場合も、使用者が電気給湯機１の近くにいるとは限らないので、使用者が事前に承諾しておくことも可能である。そのような場合は、表示入力部１５での表示及び入力を促す動作は行われず、ステップＳ１５の処理はパスされることになる。このとき、制御判定部１１は、表示入力部１５を用いて、減量した沸き上げ湯量と、減量した湯量を沸き上げるのに必要な電気料金とが算出された場合に、減量した沸き上げ湯量と、減量した湯量を沸き上げるのに必要な電気料金とを承諾するか否かを事前に使用者に選択させ、承諾するか否かを表す情報を記憶する。
【００６８】
次に、制御判定部１１は、時計部１２より取得した現在時刻が、時間帯別電気料金情報に記載される電気料金が最も安い時間帯に到達したか否かを判断する（ステップＳ１７）。ここで、現在時刻が、電気料金が最も安い時間帯に到達していないと判断された場合（ステップＳ１７でＮＯ）、制御判定部１１は、ステップＳ２の処理へ戻り、ステップＳ２以降の処理を行う。
【００６９】
一方、現在時刻が、電気料金が最も安い時間帯に到達したと判断された場合（ステップＳ１７でＹＥＳ）、制御判定部１１は、減量した沸き上げ湯量での沸き上げの開始を沸き上げ部１０へ指示する（ステップＳ１８）。次に、制御判定部１１は、沸き上げが終了したか否かを判断する（ステップＳ１９）。ここで、沸き上げが終了していないと判断された場合（ステップＳ１９でＮＯ）、沸き上げが終了するまで沸き上げを継続する。
【００７０】
一方、沸き上げが終了したと判断された場合（ステップＳ１９でＹＥＳ）、制御判定部１１は、車載バッテリー２３への充電の開始を給電部１３へ指示する（ステップＳ２０）。次に、制御判定部１１は、車載バッテリー２３への充電が終了したか否かを判断する（ステップＳ２１）。ここで、車載バッテリー２３への充電が終了していないと判断された場合（ステップＳ２１でＮＯ）、車載バッテリー２３への充電が終了するまで車載バッテリー２３への充電を継続する。一方、車載バッテリー２３への充電が終了したと判断された場合（ステップＳ２１でＹＥＳ）、制御判定部１１は、沸き上げ及びバッテリー充電の一連の処理を終了する。
【００７１】
図５では、経済性を優先し、沸き上げ湯量を減量した場合の、時間帯別電気料金情報と、沸き上げ期間と、車載バッテリー２３への充電期間との関係を示している。この場合、減量した容量の湯が沸き上げられるので、沸き上げ期間と充電期間とのいずれの期間も時間帯別電気料金情報に記載される電気料金が最も安い時間帯に収まっていることがわかる。
【００７２】
次に、ステップＳ１３において経済性ではなくて、利便性を優先することを使用者が選択した場合について、図３及び図６を用いて説明する。
【００７３】
経済性を優先しないと判断された場合、すなわち使用者が利便性を優先することを選択した場合（ステップＳ１３でＮＯ）、制御判定部１１は、沸き上げ時間と充電時間との合計時間を電気料金が最も安い電力時間帯に収めるのではなく、全ての湯量を沸き上げるための沸き上げ開始時刻を算出する（ステップＳ２２）。このとき、制御判定部１１は、沸き上げ後に連続して行われる充電における充電時間の終わりと、電気料金が最も安い電力時間帯の終了時刻とを一致させたときの沸き上げ時間の始まりの時刻を沸き上げ開始時刻として算出する。
【００７４】
次に、制御判定部１１は、時計部１２より取得した現在時刻が、沸き上げ開始時刻に到達したか否かを判定する（ステップＳ２３）。ここで、現在時刻が、沸き上げ開始時刻に到達していないと判定された場合（ステップＳ２３でＮＯ）、制御判定部１１は、ステップＳ２の処理へ戻り、ステップＳ２以降の処理を行う。図２のステップＳ２から処理を繰り返すことにより、常に最新の車載バッテリー２３の情報に応じた対応が行えるようになることは前述した通りである。
【００７５】
現在時刻が、沸き上げ開始時刻に到達したと判定された場合（ステップＳ２３でＹＥＳ）、減量しない全ての湯量の沸き上げの開始を沸き上げ部１０へ指示する（ステップＳ２４）。その後、ステップＳ１９〜ステップＳ２１の処理が行われる。
【００７６】
図６では、利便性を優先し、電気料金が最も安い電力時間帯を超えて、全ての湯量を沸き上げる場合の、時間帯別電気料金情報と、沸き上げ期間と、車載バッテリーへの充電期間との関係を示している。この場合、減量せずに全量の湯を沸き上げるために、時間帯別電気料金情報に記載される電気料金が最も安い時間帯が始まる前に沸き上げを開始して、全ての湯量の沸き上げと、車載バッテリー２３への充電とを終えていることがわかる。
【００７７】
このように、車載バッテリー２３の残量に応じて、電気給湯機１の沸き上げ開始時刻を繰り上げるので、電気料金が最も安い時間帯を過ぎても電気給湯機１の湯が沸いていないという不便を回避することができる。また、車載バッテリー２３への充電が不足しているため電気自動車２が動かない又は電気自動車２が目的地まで到達できないという不便を回避することができる。
【００７８】
また、限られた契約電力又は許容電力において、電気料金の低減を優先する、あるいは、電気料金の低減よりも利便性を優先する制御が可能となり、使用者のエネルギー消費に関する意図を明確に反映することができる。
【００７９】
これまでの説明では、車載バッテリー２３の充電が必ず時間帯別電気料金情報に記載される電気料金が最も安い時間帯に収まるように制御してきたが、実際には、このような制御では十分でないこともありうる。例えば、時間帯別電気料金情報に記載される電気料金が最も安い時間帯が終わらないうちから、電気自動車２を使用する場合には、十分な充電がなされていなくて使用できないといったこともありうる。このような場合には、充電が終了すべき時刻をあらかじめ表示入力部１５から入力しておき、制御判定部１１は、時間帯別電気料金情報に記載される電気料金が最も安い時間帯の終了時刻の代わりに、充電が終了すべき時刻を用いて動作する。これにより、ここまで説明してきたことと同様の動作を制御判定部１１にさせることができ、上記と同様あるいは、上記以上の効果を得ることが期待できる。
【００８０】
また、これまでは、車載バッテリー２３の特性上、充電時には必ずフル充電することを基本にして説明してきたが、省エネルギーという観点では、必ずしもこのような充電方法が好ましいものではない。例えば、使用者は、電気自動車２が次の日に走行する距離（あるいは走行距離に相当する充電量）をあらかじめ予測して、表示入力部１５から次の日の走行距離（あるいは走行距離に相当する充電量）を入力し、毎回フル充電せずに、必要な充電量だけを充電するようにしてもよい。これにより、充電時間を短くして、沸き上げと充電とのいずれも、時間帯別電気料金情報に記載される電気料金が最も安い時間帯に終えることができる。
【００８１】
また、本実施の形態において、第１の通信部２１は、電気自動車２が走行中に刻々と変化する車載バッテリー２３の残量に関する情報を常時又は定期的に通信することが最も好ましいが、必ずしも走行中でなくてもよく、駐車中に通信しても何ら問題はないし、電気自動車２の始動時（乗車時）又は終了時（降車時）に通信してもよい。
【００８２】
また、電気自動車２にカーナビゲーション装置が搭載されていることも昨今では当然想定されることである。この場合、第１の通信部２１は、カーナビゲーション装置が備えるＧＰＳ（Ｇｌｏｂａｌ  Ｐｏｓｉｔｉｏｎｉｎｇ  Ｓｙｓｔｅｍ）によって取得した位置情報を充電情報に含めて、自宅の電気給湯機１に送信する。制御判定部１１は、自宅（電気給湯機１）から電気自動車２までの距離を算出して、帰宅するまでに消費される車載バッテリー２３の充電量と、車載バッテリー２３の充電に必要な時間とを推測し、推測した充電時間を加味した上で、電気給湯機１の沸き上げ開始時刻を調整してもよい。
【００８３】
さらに、ここまでの説明では電気給湯機１と車載バッテリー２３との電力競合について取り上げてきたが、この限りではなく、時間帯別電気料金情報に記載される電気料金が最も安い時間帯に動作させることが可能な電気機器（例えば、洗濯乾燥機及び食器洗い機など）と車載バッテリー２３との電力競合についても、上記と同様に制御して、上記と同様の効果を得ることが可能である。
【００８４】
また、ここまでの説明では、電気給湯機１を電気機器の一例として説明しているが、電気機器は、電熱のみを用いて沸き上げる電気温水器であってもよい。
【００８５】
（実施の形態２）
図７は、本発明の実施の形態２における電力制御システムの構成の一例を示す図である。以下、図７を用いて説明する。
【００８６】
図７に示す電力制御システムは、電気給湯機１及び電気自動車２を備える。なお、本実施の形態２において、実施の形態１と同じ構成については説明を省略する。
【００８７】
電気自動車２は、駆動用モータ及び車載電装品を稼動させるための車載バッテリー２３と、充電プラグ２４と、充電情報検知部２２と、第１の通信部２１と、車載ナビゲーション装置２５とを具備している。車載バッテリー２３は、充電プラグ２４を介して給電部１３（後述）から充電される。車載ナビゲーション装置２５は、電気自動車２の現在の位置情報を取得して、現在位置から自宅までの距離に関する情報を提供する。なお、自宅は、電気給湯機１（電力制御装置１６）の設置されている場所の一例である。
【００８８】
充電情報検知部２２は、蓄電池の充電に関する充電情報を取得する。充電情報検知部２２は、車載バッテリー２３の現在の残量に関する情報を取得すると共に、電気自動車２の現在位置から自宅までの距離に関する情報を車載ナビゲーション装置２５から取得する。
【００８９】
充電情報検知部２２は、取得した車載バッテリー２３の現在の残量に関する情報と、取得した現在位置から自宅までの距離に関する情報とに基づいて、自宅到着時点での車載バッテリー２３の残量を算出する。具体的には、充電情報検知部２２は、取得した現在位置から自宅までの距離に関する情報に基づいて、自宅到着までに車載バッテリー２３が消費する電力消費量を算出する。充電情報検知部２２は、算出した自宅到着までに車載バッテリー２３が消費する電力消費量を、取得した車載バッテリー２３の現在の残量から減算することにより、自宅到着時点での車載バッテリー２３の残量を算出する。
【００９０】
第１の通信部２１は、電気自動車２に電力を供給する場所に電気自動車２が到着する前に、充電情報検知部２２によって取得された充電情報を送信する。第１の通信部２１は、充電情報検知部２２によって検知された自宅到着時点での車載バッテリー２３の残量を含む充電情報を随時送信する。
【００９１】
第１の通信部２１の通信経路は、携帯電話通信網、ＰＨＳ通信網、ＷｉＦｉ及びＷｉＭａｘなどのモバイル通信網を想定している。充電情報は、最終的には家屋内に設置されている電気給湯機１の具備する第２の通信部１４で受信され、制御判定部１１に取り込まれる。
【００９２】
また、自宅到着までに車載バッテリー２３が消費する電力消費量の算出を行う方法は、いくつか考えられる。例えば、充電情報検知部２２は、電気自動車２に固有の平均的な１キロメートルあたりの電力消費量をあらかじめ登録しており、登録されている１キロメートルあたりの電力消費量に現在位置から自宅までの距離を乗じることにより、自宅到着までに車載バッテリー２３が消費する電力消費量を算出してもよい。また、充電情報検知部２２は、その日の走行状況から１キロメートルあたりの電力消費量を算出して、算出した１キロメートルあたりの電力消費量に現在位置から自宅までの距離を乗じることにより、自宅到着までに車載バッテリー２３が消費する電力消費量を算出してもよい。
【００９３】
電力制御装置１６は、制御判定部１１と、時計部１２と、第２の通信部１４と、表示入力部１５と、電気料金情報記憶部１７とを備える。制御判定部１１は、この電力制御システムの中心的な役割を果たしており、データ算出処理、判定処理及び各部の制御を行う。充電情報は、電気自動車２の現在位置から電力制御装置１６が設置されている設置場所（例えば、自宅）までの距離に基づいて求められた、自宅への到着時点における車載バッテリー２３の残量の情報を含む。制御判定部１１は、自宅到着時点での車載バッテリー２３の残量に応じて車載バッテリー２３への充電に要する時間を算出し、算出した車載バッテリー２３への充電に要する時間に基づいて、電気給湯機１への電力供給開始時刻及び車載バッテリー２３への充電開始時刻を決定する。
【００９４】
具体的には、制御判定部１１は、時計部１２から時間を読み込んで、沸き上げ部１０に沸き上げ指示を行う。また、制御判定部１１は、沸き上げ部１０に沸き上げ中止の指示を行った後に、給電部１３及び充電プラグ２４を介して、車載バッテリー２３への充電を制御する。さらに、制御判定部１１は、車載バッテリー２３の残量に応じた充電に要する時間を算出したり、電気給湯機１で湯を沸き上げるのに要する時間（沸き上げ時間）を算出したり、一定の時間当たりに沸き上げ可能な湯量を算出したり、湯を沸き上げるのに要する電気料金を算出したりする。
【００９５】
電気料金情報記憶部１７は、時間帯に応じて異なる電気料金に関する時間帯別電気料金情報を記憶している。制御判定部１１は、時間帯別電気料金情報に基づいて、沸き上げ部１０での沸き上げと、車載バッテリー２３への充電とが効率的に行われるように制御する。なお、ここで述べている効率的とは、時間帯別電気料金情報に基づいて、最も電気料金が安くなるように制御することだけではなく、使用者の省エネルギーに関する意図も考慮して、電気料金よりも利便性を追求することも含んでいる。
【００９６】
また、制御判定部１１は、電気料金情報記憶部１７に記憶されている時間帯別電気料金情報を参照し、電気料金が所定料金以下となる時間帯に車載バッテリー２３への充電が終了するように、電気給湯機１への電力供給開始時刻及び車載バッテリー２３への充電開始時刻を決定する。
【００９７】
なお、本実施の形態において、電気自動車２が電動車両の一例に相当し、車載バッテリー２３が蓄電池の一例に相当し、電気給湯機１が電気機器の一例に相当し、電力制御装置１６が電力制御装置の一例に相当し、充電情報検知部２２が充電情報取得部の一例に相当し、第１の通信部２１が送信部の一例に相当し、第２の通信部１４が受信部の一例に相当し、制御判定部１１が電力制御部の一例に相当し、電気料金情報記憶部１７が電気料金情報記憶部の一例に相当する。
【００９８】
制御判定部１１の処理は複雑であるため、図２〜図６を用いて説明する。なお、実施の形態２における制御判定部１１の処理については、実施の形態１の図２〜図６を用いて説明する。
【００９９】
まず、制御判定部１１は、電気給湯機１の沸き上げに要する時間（沸き上げ時間）を算出する（ステップＳ１）。次に、制御判定部１１は、第２の通信部１４経由で車載バッテリー２３の充電に関する情報（充電情報）を取得する（ステップＳ２）。次に、制御判定部１１は、取得した充電情報に基づいて車載バッテリー２３の充電に要する時間（充電時間）を取得又は算出する（ステップＳ３）。
【０１００】
なお、充電情報が充電時間に関する情報を含む場合、制御判定部１１は、第２の通信部１４から充電時間に関する情報を取得する。一方、充電情報が充電時間に関する情報を含んでおらず、充電情報が車載バッテリー２３の残量に関する情報を含んでいる場合、制御判定部１１は、車載バッテリー２３の残量に基づいて充電時間を算出する。例えば、制御判定部１１は、バッテリー残量と充電時間とを対応付けたテーブルを予め記憶しており、取得したバッテリー残量に対応する充電時間をテーブルから抽出することにより、充電時間を算出する。本実施の形態２において、制御判定部１１は、自宅到着時点での車載バッテリー２３の残量に基づいて充電時間を算出する。
【０１０１】
次に、制御判定部１１は、沸き上げ時間と充電時間とを足し合わせた合計時間を算出する（ステップＳ４）。次に、制御判定部１１は、算出した合計時間を時間帯別電気料金情報に照らし合わせる（ステップＳ５）。
【０１０２】
次に、制御判定部１１は、合計時間が、電気料金が最も安い電力時間帯に収まるか否かを判定する（ステップＳ６）。ここで、合計時間が、電気料金が最も安い電力時間帯に収まると判定された場合（ステップＳ６でＹＥＳ）、制御判定部１１は、時計部１２より取得した現在時刻が、時間帯別電気料金情報に記載される電気料金が最も安い時間帯に到達したか否かを判断する（ステップＳ７）。
【０１０３】
ここで、現在時刻が、電気料金が最も安い時間帯に到達していないと判断された場合（ステップＳ７でＮＯ）、制御判定部１１は、ステップＳ２の処理へ戻り、ステップＳ２以降の処理を行う。すなわち、制御判定部１１は、現在時刻が、電気料金が最も安い時間帯に到達するまでステップＳ２からステップＳ７までの処理を繰り返す。ステップＳ２から処理を繰り返すことにより、常に最新の車載バッテリー２３の情報に応じた対応が行えるようになる。
【０１０４】
一方、時計部１２より取得した現在時刻が、時間帯別電気料金情報に記載される電気料金が最も安い時間帯に到達したと判断された場合（ステップＳ７でＹＥＳ）、制御判定部１１は、沸き上げの開始を沸き上げ部１０へ指示する（ステップＳ８）。次に、制御判定部１１は、沸き上げが終了したか否かを判断する（ステップＳ９）。ここで、沸き上げが終了していないと判断された場合（ステップＳ９でＮＯ）、沸き上げが終了するまで沸き上げを継続する。
【０１０５】
一方、沸き上げが終了したと判断された場合（ステップＳ９でＹＥＳ）、制御判定部１１は、車載バッテリー２３への充電の開始を給電部１３へ指示する（ステップＳ１０）。次に、制御判定部１１は、車載バッテリー２３への充電が終了したか否かを判断する（ステップＳ１１）。ここで、車載バッテリー２３への充電が終了していないと判断された場合（ステップＳ１１でＮＯ）、車載バッテリー２３への充電が終了するまで車載バッテリー２３への充電を継続する。一方、車載バッテリー２３への充電が終了したと判断された場合（ステップＳ１１でＹＥＳ）、制御判定部１１は、沸き上げ及びバッテリー充電の一連の処理を終了する。
【０１０６】
ここまでは、沸き上げ時間と充電時間とを足し合わせて算出した合計時間を、時間帯別電気料金情報に照らし合わせて、当該合計時間が、電気料金が最も安い電力時間帯に必ず収まるという場合だけに絞って説明してきた。図４は、沸き上げ時間と充電時間との合計時間が、電気料金が最も安い電力時間帯に収まる場合における、沸き上げ期間と、車載バッテリー充電期間と、時間帯別電気料金情報との関係を示している。図４では、沸き上げ期間と充電期間との両方の期間が、９円／ＫＷＨという電気料金が最も安い電力時間帯に収まっていることを示しており、限界電力を超えることなく、すなわちブレーカが落ちて停電することなく、順調に沸き上げと充電とが完了していることがわかる。
【０１０７】
しかしながら、実際には、電気自動車２の走行距離が長くなった時のように、沸き上げ時間と充電時間とを足し合わせて算出した合計時間を、時間帯別電気料金情報に照らし合わせみると、当該合計時間が、電気料金が最も安い電力時間帯に収まらないことも起こりうる。その場合には、ステップＳ６の判定条件の次に図３のステップＳ１２の処理に進むことになる。
【０１０８】
図２のステップＳ６において、合計時間が、電気料金が最も安い電力時間帯に収まらないと判定された場合（ステップＳ６でＮＯ）、制御判定部１１は、使用者に対して、表示入力部１５にて経済性を優先するのか、あるいは、経済性を無視して利便性を優先するのかを選択させる（図３のステップＳ１２）。ただし、この表示入力を行うときに、必ず使用者が電気給湯機１の近くにいるとは限らない。そのため、使用者が事前に経済性及び利便性のうちのいずれを優先させるのかを選択しておくことも可能である。そのような場合は、表示入力部１５での表示及び入力を促す動作は行われず、ステップＳ１２の処理はパスされることになる。このとき、制御判定部１１は、表示入力部１５を用いて経済性及び利便性のいずれを優先させるかを事前に使用者に選択させ、経済性及び利便性のいずれを優先させるかを表す情報を記憶する。
【０１０９】
次に、制御判定部１１は、経済性を優先するか否かを判断する（ステップＳ１３）。ここで、ステップＳ１３において利便性ではなくて、経済性を優先することを使用者が選択した場合について、図３及び図５を用いて説明する。
【０１１０】
経済性を優先すると判断された場合、すなわち使用者が経済性を優先することを選択した場合（ステップＳ１３でＹＥＳ）、制御判定部１１は、合計時間が、電気料金が最も安い電力時間帯に収まるように、沸き上げる湯量を減量して、減量した沸き上げ湯量と、減量した湯量を沸き上げるのに必要な電気料金とを算出する（ステップＳ１４）。すなわち、制御判定部１１は、電気料金が最も安い電力時間帯から、車載バッテリー２３の充電時間を減算した残りの時間内に沸き上げることが可能な湯量を算出する。
【０１１１】
次に、制御判定部１１は、減量した沸き上げ湯量と、減量した湯量を沸き上げるのに必要な電気料金とを表示入力部１５に表示して、使用者の承諾を要求する（ステップＳ１５）。ただし、この場合も、使用者が電気給湯機１の近くにいるとは限らないので、使用者が事前に承諾しておくことも可能である。そのような場合は、表示入力部１５での表示及び入力を促す動作は行われず、ステップＳ１５の処理はパスされることになる。このとき、制御判定部１１は、表示入力部１５を用いて、減量した沸き上げ湯量と、減量した湯量を沸き上げるのに必要な電気料金とが算出された場合に、減量した沸き上げ湯量と、減量した湯量を沸き上げるのに必要な電気料金とを承諾するか否かを事前に使用者に選択させ、承諾するか否かを表す情報を記憶する。
【０１１２】
次に、制御判定部１１は、時計部１２より取得した現在時刻が、時間帯別電気料金情報に記載される電気料金が最も安い時間帯に到達したか否かを判断する（ステップＳ１７）。ここで、現在時刻が、電気料金が最も安い時間帯に到達していないと判断された場合（ステップＳ１７でＮＯ）、制御判定部１１は、ステップＳ２の処理へ戻り、ステップＳ２以降の処理を行う。
【０１１３】
一方、現在時刻が、電気料金が最も安い時間帯に到達したと判断された場合（ステップＳ１７でＹＥＳ）、制御判定部１１は、減量した沸き上げ湯量での沸き上げの開始を沸き上げ部１０へ指示する（ステップＳ１８）。次に、制御判定部１１は、沸き上げが終了したか否かを判断する（ステップＳ１９）。ここで、沸き上げが終了していないと判断された場合（ステップＳ１９でＮＯ）、沸き上げが終了するまで沸き上げを継続する。
【０１１４】
一方、沸き上げが終了したと判断された場合（ステップＳ１９でＹＥＳ）、制御判定部１１は、車載バッテリー２３への充電の開始を給電部１３へ指示する（ステップＳ２０）。次に、制御判定部１１は、車載バッテリー２３への充電が終了したか否かを判断する（ステップＳ２１）。ここで、車載バッテリー２３への充電が終了していないと判断された場合（ステップＳ２１でＮＯ）、車載バッテリー２３への充電が終了するまで車載バッテリー２３への充電を継続する。一方、車載バッテリー２３への充電が終了したと判断された場合（ステップＳ２１でＹＥＳ）、制御判定部１１は、沸き上げ及びバッテリー充電の一連の処理を終了する。
【０１１５】
図５では、経済性を優先し、沸き上げ湯量を減量した場合の、時間帯別電気料金情報と、沸き上げ期間と、車載バッテリー２３への充電期間との関係を示している。この場合、減量した容量の湯が沸き上げられるので、沸き上げ期間と充電期間とのいずれの期間も時間帯別電気料金情報に記載される電気料金が最も安い時間帯に収まっていることがわかる。
【０１１６】
次に、ステップＳ１３において経済性ではなくて、利便性を優先することを使用者が選択した場合について、図３及び図６を用いて説明する。
【０１１７】
経済性を優先しないと判断された場合、すなわち使用者が利便性を優先することを選択した場合（ステップＳ１３でＮＯ）、制御判定部１１は、沸き上げ時間と充電時間との合計時間を電気料金が最も安い電力時間帯に収めるのではなく、全ての湯量を沸き上げるための沸き上げ開始時刻を算出する（ステップＳ２２）。このとき、制御判定部１１は、沸き上げ後に連続して行われる充電における充電時間の終わりと、電気料金が最も安い電力時間帯の終了時刻とを一致させたときの沸き上げ時間の始まりの時刻を沸き上げ開始時刻として算出する。
【０１１８】
次に、制御判定部１１は、時計部１２より取得した現在時刻が、沸き上げ開始時刻に到達したか否かを判定する（ステップＳ２３）。ここで、現在時刻が、沸き上げ開始時刻に到達していないと判定された場合（ステップＳ２３でＮＯ）、制御判定部１１は、ステップＳ２の処理へ戻り、ステップＳ２以降の処理を行う。図２のステップＳ２から処理を繰り返すことにより、常に最新の車載バッテリー２３の情報に応じた対応が行えるようになることは前述した通りである。
【０１１９】
現在時刻が、沸き上げ開始時刻に到達したと判定された場合（ステップＳ２３でＹＥＳ）、減量しない全ての湯量の沸き上げの開始を沸き上げ部１０へ指示する（ステップＳ２４）。その後、ステップＳ１９〜ステップＳ２１の処理が行われる。
【０１２０】
図６では、利便性を優先し、電気料金が最も安い電力時間帯を超えて、全ての湯量を沸き上げる場合の、時間帯別電気料金情報と、沸き上げ期間と、車載バッテリーへの充電期間との関係を示している。この場合、減量せずに全量の湯を沸き上げるために、時間帯別電気料金情報に記載される電気料金が最も安い時間帯が始まる前に沸き上げを開始して、全ての湯量の沸き上げと、車載バッテリー２３への充電とを終えていることがわかる。
【０１２１】
このように、自宅到着時点での車載バッテリー２３の残量に応じて、電気給湯機１の沸き上げ開始時刻を繰り上げるので、電気料金が最も安い時間帯を過ぎても電気給湯機１の湯が沸いていないという不便を回避することができる。また、車載バッテリー２３への充電が不足しているため電気自動車２が動かない又は電気自動車２が目的地まで到達できないという不便を回避することができる。
【０１２２】
また、車載バッテリー２３の残量をリアルタイムに取得する場合に比べて、自宅到着時点での車載バッテリー２３の残量をより的確に把握できるため、より細やかな制御を行うことができる。
【０１２３】
これまでの説明では、車載バッテリー２３の充電が必ず時間帯別電気料金情報に記載される電気料金が最も安い時間帯に収まるように制御してきたが、実際には、このような制御では十分でないこともありうる。例えば、時間帯別電気料金情報に記載される電気料金が最も安い時間帯が終わらないうちから、電気自動車２を使用する場合には、十分な充電がなされていなくて使用できないといったこともありうる。このような場合には、充電が終了すべき時刻をあらかじめ表示入力部１５から入力しておき、制御判定部１１は、時間帯別電気料金情報に記載される電気料金が最も安い時間帯の終了時刻の代わりに、充電が終了すべき時刻を用いて動作する。これにより、ここまで説明してきたことと同様の動作を制御判定部１１にさせることができ、上記と同様あるいは、上記以上の効果を得ることが期待できる。
【０１２４】
また、これまでは、車載バッテリー２３の特性上、充電時には必ずフル充電することを基本にして説明してきたが、省エネルギーという観点では、必ずしもこのような充電方法が好ましいものではない。例えば、使用者は、電気自動車２が次の日に走行する距離（あるいは走行距離に相当する充電量）をあらかじめ予測して、表示入力部１５から次の日の走行距離（あるいは走行距離に相当する充電量）を入力し、毎回フル充電せずに、必要な充電量だけを充電するようにしてもよい。これにより、充電時間を短くして、沸き上げと充電とのいずれも、時間帯別電気料金情報に記載される電気料金が最も安い時間帯に終えることができる。
【０１２５】
例えば、車載ナビゲーション装置２５は、次の日の全走行計画の使用者による入力を受け付け、次の日に走行する距離（あるいは走行距離に相当する充電量）を算出する。充電情報検知部２２は、次の日の走行距離（あるいは走行距離に相当する充電量）と、車載バッテリー２３の現在の残量に関する情報と、現在位置から自宅までの距離に関する情報とを車載ナビゲーション装置２５から取得する。第１の通信部２１は、充電情報検知部２２によって検知された、自宅到着時点での車載バッテリー２３の残量と、次の日の走行距離（あるいは走行距離に相当する充電量）とを含む充電情報を送信する。制御判定部１１は、次の日の走行距離（あるいは走行距離に相当する充電量）と、自宅到着時点での車載バッテリー２３の残量とに基づいて、車載バッテリー２３への充電量を決定し、車載バッテリー２３への充電時間と、電気給湯機１の沸き上げ時間とを調整する。
【０１２６】
また、使用者は、その日の出発時点で、自宅から目的地までの経路を表すルーティング情報と、目的地から自宅までの経路を表すルーティング情報とを車載ナビゲーション装置２５に記憶させておき、制御判定部１１は、往路及び復路のルーティング情報に基づいて、その日に消費する予定の車載バッテリー２３の電力消費量を推測して、車載バッテリー２３への充電時間と、電気給湯機１の沸き上げ時間とを調整してもよい。
【０１２７】
さらに、ここまでの説明では電気給湯機１と車載バッテリー２３との電力競合について取り上げてきたが、この限りではなく、時間帯別電気料金情報に記載される電気料金が最も安い時間帯に動作させることが可能な電気機器（例えば、洗濯乾燥機及び食器洗い機など）と車載バッテリー２３との電力競合についても、上記と同様に制御して、上記と同様の効果を得ることが可能である。
【０１２８】
また、本実施の形態において、第１の通信部２１は、電気自動車２が走行中に刻々と変化する車載バッテリー２３の残量に関する情報を常時又は定期的に通信することが最も好ましいが、必ずしも走行中でなくてもよく、駐車中に通信しても何ら問題はないし、電気自動車２の始動時（乗車時）又は終了時（降車時）に通信してもよい。
【０１２９】
また、ここまでの説明では、電気給湯機１を電気機器の一例として説明しているが、電気機器は、電熱のみを用いて沸き上げる電気温水器であってもよい。
【０１３０】
（実施の形態３）
実施の形態２では、電力制御装置１６（電気給湯機１）が設置されている設置場所への到着時点における車載バッテリー２３の残量を電気自動車２において算出している。これに対し、実施の形態３では、電力制御装置１６（電気給湯機１）が設置されている設置場所への到着時点における車載バッテリー２３の残量をサーバ装置において算出する。
【０１３１】
図８は、本発明の実施の形態３における電力制御システムの構成の一例を示す図である。以下、図８を用いて説明する。
【０１３２】
図８に示す電力制御システムは、電気給湯機１、電気自動車２及びサーバ装置３を備える。なお、本実施の形態３において、実施の形態２と同じ構成については説明を省略する。サーバ装置３は、電気自動車２と電力制御装置１６（電気給湯機１）との通信を仲介する。
【０１３３】
車載ナビゲーション装置２５は、電気自動車２の現在の位置情報を取得して、現在位置から自宅までの距離に関する情報を提供する。
【０１３４】
充電情報検知部２２は、車載バッテリー２３の現在の残量に関する情報を取得すると共に、電気自動車２の現在位置から電気給湯機１（電力制御装置１６）の設置されている場所（例えば、自宅）までの距離に関する情報を車載ナビゲーション装置２５から取得する。
【０１３５】
第１の通信部２１は、充電情報検知部２２によって取得された、車載バッテリー２３の現在の残量に関する情報と、電気自動車２の現在位置から電気給湯機１（電力制御装置１６）の設置されている場所（例えば、自宅）までの距離に関する情報とを含む充電情報をサーバ装置３へ送信する。
【０１３６】
図９は、図８に示すサーバ装置３の構成を示す図である。サーバ装置３は、距離情報受信部３１、残量算出部３２及び残量送信部３３を備える。
【０１３７】
距離情報受信部３１は、車載バッテリー２３の現在の残量に関する情報と、電気自動車２の現在位置から電気給湯機１（電力制御装置１６）の設置されている場所（例えば、自宅）までの距離に関する情報とを含む充電情報を電気自動車２から受信する。
【０１３８】
残量算出部３２は、受信した車載バッテリー２３の現在の残量に関する情報と、受信した現在位置から自宅までの距離に関する情報とに基づいて、自宅到着時点での車載バッテリー２３の残量を算出する。具体的には、残量算出部３２は、受信した現在位置から自宅までの距離に関する情報に基づいて、自宅到着までに車載バッテリー２３が消費する電力消費量を算出する。残量算出部３２は、算出した自宅到着までに車載バッテリー２３が消費する電力消費量を、受信した車載バッテリー２３の現在の残量から減算することにより、自宅到着時点での車載バッテリー２３の残量を算出する。
【０１３９】
残量送信部３３は、残量算出部３２によって算出された自宅到着時点での車載バッテリー２３の残量に関する情報を含む充電情報を電力制御装置１６へ送信する。
【０１４０】
電力制御装置１６の第２の通信部１４は、電気自動車２に電力を供給する場所に電気自動車２が到着する前に、残量送信部３３によって送信された充電情報を受信する。
【０１４１】
なお、制御判定部１１の処理は、実施の形態２と同じであるため、説明を省略する。
【０１４２】
本実施の形態３によれば、電気自動車２又は電力制御装置１６において、設置場所への到着時点における車載バッテリー２３の残量を算出する必要がなく、電気自動車２及び電力制御装置１６における処理を軽減することができる。
【０１４３】
（実施の形態４）
次に、本発明の実施の形態４の電力制御システムについて説明する。なお、本発明の実施の形態４の電力制御システムの構成は、図７に示す実施の形態２の電力制御システムの構成とほぼ同じである。以下、実施の形態２と異なる構成について説明する。
【０１４４】
車載ナビゲーション装置２５は、電気自動車２の現在の位置情報を取得して、現在位置から自宅までの距離に関する情報と、自宅への到着予定時刻に関する情報とを提供する。なお、自宅は、電気給湯機１（電力制御装置１６）の設置されている場所の一例である。
【０１４５】
充電情報検知部２２は、車載バッテリー２３の現在の残量に関する情報と、電気自動車２の現在位置から自宅までの距離に関する情報と、自宅への到着予定時刻に関する情報とを車載ナビゲーション装置２５から取得する。
【０１４６】
充電情報検知部２２は、取得した車載バッテリー２３の現在の残量に関する情報と、取得した現在位置から自宅までの距離に関する情報とに基づいて、自宅到着時点での車載バッテリー２３の残量を算出する。
【０１４７】
第１の通信部２１は、充電情報検知部２２によって取得された、自宅到着時点での車載バッテリー２３の残量と、自宅への到着予定時刻に関する情報とを含む充電情報を送信する。
【０１４８】
制御判定部１１は、自宅到着時点での車載バッテリー２３の残量に応じて車載バッテリー２３への充電に要する時間（充電時間）を算出するとともに、電気給湯機１で湯を沸き上げるのに要する時間（沸き上げ時間）を算出する。制御判定部１１は、算出した充電時間と、算出した沸き上げ時間と、電気自動車２の自宅への到着予定時刻とに基づいて、電気給湯機１への電力供給開始時刻及び車載バッテリー２３への充電開始時刻を決定する。
【０１４９】
図１０及び図１１は、本発明の実施の形態４における制御判定部１１の処理を示すフローチャートである。
【０１５０】
まず、制御判定部１１は、予め設定されている電気給湯機１の沸き上げ開始時刻を取得する（ステップＳ３１）。表示入力部１５は、電気給湯機１の沸き上げ開始時刻の使用者による設定を受け付け、制御判定部１１は、表示入力部１５によって設定された沸き上げ開始時刻を記憶する。
【０１５１】
次に、制御判定部１１は、電気給湯機１の沸き上げに要する時間（沸き上げ時間Ｔｘ）を算出する（ステップＳ３２）。次に、制御判定部１１は、第２の通信部１４経由で車載バッテリー２３の充電に関する情報（充電情報）を取得する（ステップＳ３３）。次に、制御判定部１１は、取得した充電情報に基づいて車載バッテリー２３の充電に要する時間（充電時間Ｔｙ）を取得又は算出する（ステップＳ３４）。本実施の形態４において、制御判定部１１は、自宅到着時点での車載バッテリー２３の残量に基づいて充電時間Ｔｙを算出する。
【０１５２】
次に、制御判定部１１は、予め設定されている沸き上げ開始時刻と、沸き上げ開始時刻に沸き上げ時間Ｔｘを加算することにより算出される沸き上げ終了時刻と、取得した充電情報に含まれる電気自動車２の到着予定時刻を表す充電開始時刻と、充電開始時刻に充電時間Ｔｙを加算することにより算出される充電終了時刻とを含む制御計画を作成する（ステップＳ３５）。
【０１５３】
次に、制御判定部１１は、作成した制御計画を参照し、充電時間Ｔｙ内に沸き上げを予定しているか否かを判断する（ステップＳ３６）。
【０１５４】
図１２は、本発明の実施の形態４における沸き上げ時間と充電時間との一例を示す図である。図１２では、自宅への到着予定時刻から充電が開始されており、沸き上げ時間Ｔｘと充電時間Ｔｙとが重なっている。また、沸き上げ時間Ｔｘと充電時間Ｔｙとは、電気料金が最も安い電力時間帯Ｔｚ内に収まっており、沸き上げ開始時刻は、電気料金が最も安い電力時間帯Ｔｚの開始時刻ｔａよりも遅く、充電開始時刻は、電気自動車２が自宅に到着したらすぐに充電を開始するものとして到着予定時刻としている。例えば、制御判定部１１は、沸き上げ終了時刻が到着予定時刻よりも遅いか否かを判断することにより、充電時間Ｔｙ内に沸き上げを予定しているか否かを判断する。
【０１５５】
ここで、充電時間Ｔｙ内に沸き上げを予定していないと判断された場合（ステップＳ３６でＮＯ）、作成された制御計画を変更する必要がないため、ステップＳ４８の処理へ移行する。
【０１５６】
一方、充電時間Ｔｙ内に沸き上げを予定していると判断された場合（ステップＳ３６でＹＥＳ）、制御判定部１１は、沸き上げに使用する電力と、車載バッテリー２３の充電に使用する電力との合計使用電力を算出する（ステップＳ３７）。
【０１５７】
次に、制御判定部１１は、合計使用電力が許容電力より大きいか否かを判断する（ステップＳ３８）。ここで、合計使用電力が許容電力以下であると判断された場合（ステップＳ３８でＮＯ）、作成された制御計画を変更する必要がないため、ステップＳ４８の処理へ移行する。
【０１５８】
一方、合計使用電力が許容電力より大きいと判断された場合（ステップＳ３７でＹＥＳ）、制御判定部１１は、沸き上げ時間Ｔｘと充電時間Ｔｙとを足し合わせた合計時間を算出する（ステップＳ３９）。次に、制御判定部１１は、算出した合計時間を時間帯別電気料金情報に照らし合わせる（ステップＳ４０）。
【０１５９】
次に、制御判定部１１は、合計時間が、電気料金が最も安い電力時間帯Ｔｚに収まるか否かを判定する（ステップＳ４１）。ここで、合計時間が、電気料金が最も安い電力時間帯に収まると判定された場合（ステップＳ４１でＹＥＳ）、制御判定部１１は、沸き上げ時間を繰り上げるように制御計画を変更する（ステップＳ４４）。すなわち、制御判定部１１は、電気料金が最も安い電力時間帯の終了時刻ｔｂから、充電時間Ｔｙ及び沸き上げ時間Ｔｘを逆算して、沸き上げ開始時刻を決定し、制御計画を変更する。
【０１６０】
図１３は、沸き上げ時間を繰り上げる場合の沸き上げ時間と充電時間との一例を示す図である。図１３では、沸き上げ終了後に充電が開始されており、沸き上げ時間Ｔｘと充電時間Ｔｙとは重なっていない。また、沸き上げ時間Ｔｘと充電時間Ｔｙとは、電気料金が最も安い電力時間帯Ｔｚ内に収まっており、沸き上げ開始時刻は、電気料金が最も安い電力時間帯Ｔｚの開始時刻ｔａよりも遅く、充電終了時刻は、電気料金が最も安い電力時間帯Ｔｚの終了時刻ｔｂと同じになっている。
【０１６１】
なお、図１３では、充電終了時刻が電気料金の最も安い時間帯Ｔｚの終了時刻ｔｂと同じになるようにしているが、沸き上げ時間Ｔｘの開始時刻が電気料金の最も安い時間帯Ｔｚの開始時刻ｔａとなるように時間を繰り上げてもよい。
【０１６２】
制御判定部１１は、電気料金が最も安い電力時間帯の終了時刻ｔｂに一致するように充電終了時刻を決定し、決定した充電終了時刻に応じて充電開始時刻を決定し、決定した充電開始時刻の直前に沸き上げが終了するように沸き上げ終了時刻を決定し、決定した沸き上げ終了時刻に応じて沸き上げ開始時刻を決定する。
【０１６３】
一方、合計時間が、電気料金が最も安い電力時間帯に収まらないと判定された場合（ステップＳ４１でＮＯ）、制御判定部１１は、沸き上げ時間Ｔｘが、現在時刻から自宅到着予定時刻までの時間Ｔ１より長いか否かを判断する（ステップＳ４２）。ここで、沸き上げ時間Ｔｘが、現在時刻から自宅到着予定時刻までの時間Ｔ１より長いと判断された場合（ステップＳ４２でＹＥＳ）、制御判定部１１は、電気料金が最も安い時間帯を超えて沸き上げることが可能であるか否かを判断する（ステップＳ４３）。なお、制御判定部１１は、表示入力部１５を用いて電気料金が最も安い時間帯を超えて沸き上げることが可能であるか否かを事前に使用者に選択させ、電気料金が最も安い時間帯を超えて沸き上げることが可能であるか否かを表す情報を記憶する。
【０１６４】
また、制御判定部１１は、電気料金が最も安い時間帯を超えて沸き上げるか否かを使用者に問い合わせてもよい。この場合、制御判定部１１は、第２の通信部１４を介して、電気料金が最も安い時間帯を超えて沸き上げるか否かを問い合わせる情報を電気自動車２へ送信し、車載ナビゲーション装置２５は、電気料金が最も安い時間帯を超えて沸き上げるか否かの使用者による選択を受け付け、受け付けた情報を第１の通信部２１を介して電力制御装置１６へ送信する。そして、制御判定部１１は、電気自動車２によって送信された情報に基づいて、電気料金が最も安い時間帯を超えて沸き上げることが可能であるか否かを判断する。
【０１６５】
ここで、電気料金が最も安い時間帯を超えて沸き上げることが可能であると判断された場合（ステップＳ４３でＹＥＳ）、制御判定部１１は、沸き上げ時間を繰り上げるように制御計画を変更する（ステップＳ４４）。すなわち、制御判定部１１は、電気料金が最も安い電力時間帯の終了時刻ｔｂから、充電時間Ｔｙ及び沸き上げ時間Ｔｘを逆算して、沸き上げ開始時刻を決定し、制御計画を変更する。
【０１６６】
図１４は、沸き上げ時間を繰り上げるとともに、電気料金が最も安い時間帯を超えて沸き上げる場合の沸き上げ時間と充電時間との一例を示す図である。図１４では、沸き上げ終了後に充電が開始されており、沸き上げ時間Ｔｘと充電時間Ｔｙとは重なっていない。また、充電時間Ｔｙは、電気料金が最も安い電力時間帯Ｔｚ内に収まっているが、沸き上げ時間Ｔｘは、電気料金が最も安い電力時間帯Ｔｚを超えている。沸き上げ開始時刻は、電気料金が最も安い電力時間帯Ｔｚの開始時刻ｔａよりも早く、充電終了時刻は、電気料金が最も安い電力時間帯Ｔｚの終了時刻ｔｂと同じになっている。
【０１６７】
制御判定部１１は、電気料金が最も安い電力時間帯の終了時刻ｔｂに一致するように充電終了時刻を決定し、決定した充電終了時刻に応じて充電開始時刻を決定し、決定した充電開始時刻の直前に沸き上げが終了するように沸き上げ終了時刻を決定し、決定した沸き上げ終了時刻に応じて沸き上げ開始時刻を決定する。
【０１６８】
一方、沸き上げ時間Ｔｘが、現在時刻から自宅到着予定時刻までの時間Ｔ１以下であると判断された場合（ステップＳ４２でＮＯ）、又は電気料金が最も安い時間帯を超えて沸き上げることが可能でないと判断された場合（ステップＳ４３でＮＯ）、制御判定部１１は、沸き上げ時間Ｔｘを分割することが可能であるか否かを判断する（ステップＳ４５）。なお、電気機器には、運転時間を分割することができる電気機器と、運転時間を分割することができない電気機器とがある。制御判定部１１は、運転時間を分割することが可能であるか否かを予め電気機器毎に対応付けて記憶しておくことにより、沸き上げ時間Ｔｘを分割することが可能であるか否かを判断する。
【０１６９】
ここで、沸き上げ時間Ｔｘを分割することが可能であると判断された場合（ステップＳ４５でＹＥＳ）、制御判定部１１は、沸き上げ時間Ｔｘを分割するように制御計画を変更する（ステップＳ４６）。制御判定部１１は、沸き上げ時間Ｔｘを、充電開始時刻より前であるとともに、電気料金が最も安い時間帯Ｔｚに収まる第１の沸き上げ時間Ｔｘ１と、充電終了時刻より後である第２の沸き上げ時間Ｔｘ２とに分割する。
【０１７０】
図１５は、沸き上げ時間を分割する場合の沸き上げ時間と充電時間との一例を示す図である。図１５では、沸き上げ終了後に充電が開始されるとともに、充電終了後に再度沸き上げが開始されており、沸き上げ時間Ｔｘと充電時間Ｔｙとは重なっていない。沸き上げ時間Ｔｘは、第１の沸き上げ時間Ｔｘ１と、第２の沸き上げ時間Ｔｘ２とに分割されている。第１の沸き上げ時間Ｔｘ１は、充電開始時刻より前であるとともに、電気料金が最も安い時間帯Ｔｚに収まっている。また、第２の沸き上げ時間Ｔｘ２は、充電終了時刻より後であるとともに、電気料金が最も安い時間帯Ｔｚを超えている。第１の沸き上げ時間Ｔｘ１の沸き上げ開始時刻は、電気料金が最も安い電力時間帯Ｔｚの開始時刻ｔａと同じであり、充電終了時刻は、電気料金が最も安い電力時間帯Ｔｚの終了時刻ｔｂと同じになっている。第２の沸き上げ時間Ｔｘ２の沸き上げ開始時刻は、電気料金が最も安い電力時間帯Ｔｚの終了時刻ｔｂの直後となっている。
【０１７１】
制御判定部１１は、第１の沸き上げ時間Ｔｘ１と充電時間Ｔｙとの合計時間が、電気料金が最も安い電力時間帯Ｔｚに収まるように、沸き上げ時間Ｔｘを第１の沸き上げ時間Ｔｘ１と第２の沸き上げ時間Ｔｘ２とに分割する。
【０１７２】
制御判定部１１は、電気料金が最も安い電力時間帯の終了時刻ｔｂに一致するように充電終了時刻を決定し、決定した充電終了時刻に応じて充電開始時刻を決定し、決定した充電開始時刻の直前に沸き上げが終了するように第１の沸き上げ時間Ｔｘ１の沸き上げ終了時刻を決定し、電気料金が最も安い電力時間帯の開始時刻ｔａに一致するように第１の沸き上げ時間Ｔｘ１の沸き上げ開始時刻を決定する。また、制御判定部１１は、充電終了時刻の直後に再度沸き上げが開始するように第２の沸き上げ時間Ｔｘ２の沸き上げ開始時刻を決定し、決定した第２の沸き上げ時間Ｔｘ２の沸き上げ開始時刻に応じて第２の沸き上げ時間Ｔｘ２の沸き上げ終了時刻を決定する。
【０１７３】
一方、沸き上げ時間Ｔｘを分割することが可能でないと判断された場合（ステップＳ４５でＮＯ）、制御判定部１１は、充電後に沸き上げするように制御計画を変更する（ステップＳ４７）。
【０１７４】
図１６は、充電後に沸き上げする場合の沸き上げ時間と充電時間との一例を示す図である。図１６では、充電終了後に沸き上げが開始されており、沸き上げ時間Ｔｘと充電時間Ｔｙとは重なっていない。また、充電時間Ｔｙは、電気料金が最も安い電力時間帯Ｔｚ内に収まっているが、沸き上げ時間Ｔｘは、電気料金が最も安い電力時間帯Ｔｚを超えている。充電終了時刻は、電気料金が最も安い電力時間帯Ｔｚの終了時刻ｔｂと同じになっており、沸き上げ開始時刻は、充電終了時刻の直後となっている。
【０１７５】
なお、図１６では、充電終了時刻が電気料金の最も安い時間帯Ｔｚの終了時刻ｔｂと同じになるようにしているが、沸き上げ時間Ｔｘの開始時刻が電気料金の最も安い時間帯Ｔｚの開始時刻ｔａとなるように時間を繰り上げてもよい。
【０１７６】
制御判定部１１は、電気料金が最も安い電力時間帯の終了時刻ｔｂに一致するように充電終了時刻を決定し、決定した充電終了時刻に応じて充電開始時刻を決定し、決定した充電終了時刻の直後に沸き上げが開始するように沸き上げ開始時刻を決定し、決定した沸き上げ開始時刻に応じて沸き上げ終了時刻を決定する。
【０１７７】
次に、制御判定部１１は、制御計画に従って電気給湯機１の沸き上げ及び車載バッテリー２３の充電を制御する（ステップＳ４８）。
【０１７８】
なお、本実施の形態において、電気料金が最も安い時間帯の終了時刻までに充電が終了しない場合、制御判定部１１は、充電済み容量又は残りの充電時間を表示入力部１５に表示し、使用者に充電を継続するか否かを選択させてもよい。
【０１７９】
また、図４〜図６及び図１２〜図１６において、沸き上げ時の消費電力及び充電時の消費電力を矩形で表しているが、実際には、消費電力は時間とともに変化するので矩形にはならない。電気給湯機１（電気機器）の消費電力が減少し、沸き上げを充電と同時に行っても許容電力を超えない場合、沸き上げが終了する前に充電を開始してもよい。
【０１８０】
また、電気料金が最も安い時間帯は、予め定められた時間帯（例えば、午後１１時〜午前７時）だけでなく、サーバから取得する、電力会社によって提供される当日の電気料金が最も安い時間帯であってもよい。
【０１８１】
また、電力制御システムが太陽光発電又は燃料電池を備える場合、電気料金が最も安い時間帯は、発電する電力が余剰となる時間帯、例えば晴天時の午前９時〜午後４時であってもよい。
【０１８２】
なお、本発明の実施の形態４の電力制御システムにて、図８に示す実施の形態３の電力制御システムのようにサーバ装置を利用して図１０及び図１１のフローチャートをサーバ装置と電力制御装置とで分担して実施してもよい。たとえば、図１０のステップＳ３３及びＳ３４の処理をサーバ装置にて行うことで、電気自動車２又は電力制御装置１６において、設置場所への到着時刻や到着時点における車載バッテリー２３の残量を算出する必要がなく、電気自動車２及び電力制御装置１６における処理を軽減することができる。
【０１８３】
加えて、サーバ装置において、電気自動車２の到着時刻及び車載バッテリー２３の残量を算出する際に、通過する道路の交通情報及び天気情報を他のサーバ装置から取得して参照するようにすれば、渋滞による到着時刻の遅れを考慮して精度の高い到着時刻を算出したり、雨天時のワイパーの使用及び空調機器の使用による車載バッテリーの電気の消費を考慮して精度の高い車載バッテリー２３の残量を算出することができる。
【０１８４】
また、サーバ装置を備えた電力制御システムにおいては、設置場所への到着時刻及び到着時点における車載バッテリーの残量をサーバ装置で算出するだけでなく、図１０及び図１１に記載のフローチャートの一部または全てをサーバ装置に行わせるシステムも可能である。
【０１８５】
（実施の形態５）
図１７は、本発明の実施の形態５における電力制御システムの構成の一例を示す概観図である。電力制御システムは、電気機器１０１及び電気自動車２０１を備える。電気機器１０１は、一般住宅における住宅建物１００に配置されている。また、電気機器１０１は、充電装置を備える。
【０１８６】
充電装置は単独の装置であってもよいが、本実施の形態５では、充電装置（充電部）は電気機器と一体に構成され、充電装置を備える電気機器は、屋外部分に電気自動車２０１との充電の接続部を備える。
【０１８７】
なお、本実施の形態では、充電装置を自宅に設置して充電する場合を説明するが、これに限らず、商店、事務所、工場又は施設などの駐輪場又は駐車場に充電装置を設置して、これらの場所で電動車両を充電する場合でもよい。商用施設又は公共施設であれば充電装置を備える電気機器は、家庭電化機器に限らず、利用者認識装置、自動精算機又は自動販売機など屋外に設置される電気機器であってもよい。
【０１８８】
電気自動車２０１は、蓄電池２１１及び蓄電池２１１を充電するための車載充電回路２１２を載せている。使用者は、電気自動車２０１の充電プラグ２１３を接続部（コンセント）１１１に挿入して得た家庭用交流電力を車載充電回路２１２で電流・電圧制御して蓄電池２１１に充電する。
【０１８９】
充電プラグ２１３を挿入して充電するための充電装置を備える電気機器としては、本実施の形態では住宅建物１００の庭又は車庫などの屋外に電気機器の一部が設置されるような電気機器を想定している。屋外に設置される電気機器の一部としては、例えば、電気給湯機の室外機１０２又は貯湯タンク１０３、エアコンの室外機、車庫等に設置される照明機器である。これらには充電用の接続部（コンセント）１１１が備えられており、この接続部１１１に充電プラグ２１３を挿入することで簡単に電気自動車２０１が充電可能となる。なお、車載充電回路２１２の一部を電気機器１０１側に備える構成でも構わない。
【０１９０】
このように、屋外に設置される電気機器１０１に充電装置を設けるメリットは、この充電装置を備える電気機器１０１を予め設置しておけば、後に電気自動車又は電動自転車を購入したときに、この電気機器１０１の充電装置に電気自動車又は電動自転車などに接続すれば大がかりな電気工事（分電盤のブレーカ増設工事、分電盤から屋外への配線工事、及び屋外の充電コンセントの設置工事）を必要とせずに駐車場又は駐輪場で充電することができる。
【０１９１】
なお、充電装置を備える電気機器１０１は、照明機器、空調機器、電気給湯機及び貯湯機器に限らず、少なくとも電気機器本体機能の一部が屋外に設置される電気機器であればよい。
【０１９２】
電気自動車２０１は、ナビゲーション部２１４（不図示）及び通信部２１５を備える。ナビゲーション部２１４は、外出先における電気自動車２０１の現在位置と、目的地の位置とに関する位置情報、現在位置から目的地までの距離に関する距離情報、及び、現在位置から目的地までの走行時間と、目的地への到着予想時刻とに関する時間情報を取得する。ナビゲーション部２１４は、蓄電池２１１の充電に関する充電情報を取得する。
【０１９３】
ここで、目的地を充電装置の存在する自宅としたとき、ナビゲーション部２１４は、電気自動車２０１の現在位置を測定して、充電装置の存在する自宅との距離、移動速度及び現在時刻に基づいて、到着予想時刻（帰宅予想時刻）に関する情報を算出する。
【０１９４】
また、ナビゲーション部２１４は、電気自動車２０１の現在位置を測定して、充電装置の存在する自宅との距離、移動に使用する距離あたりの電気エネルギー量、及び現在の蓄電池２１１の充電量に基づいて、帰宅したときに必要な蓄電池の必要充電量に関する情報を算出する。
【０１９５】
通信部２１５は、ナビゲーション部２１４によって取得されたこれらの情報（現在位置と目的地とに関する位置情報、現在位置から目的地（充電装置の存在する地点）までの距離に関する距離情報、現在位置から目的地（充電装置の存在する地点）までの走行時間と目的地への到着予想時刻とに関する時間情報、及び蓄電池の必要充電量に関する情報）を電気機器１０１の備える通信部１１２に送信する。すなわち、通信部２１５は、電気自動車２０１に電力を供給する場所に電気自動車２０１が到着する前に、ナビゲーション部２１４によって取得された充電情報を送信する。これにより、電気機器１０１は、外出先においての電気自動車２０１と蓄電池２１１との状態を知ることができる。通信には、携帯電話網又はデータ通信網を用いる。
【０１９６】
なお、本実施の形態では、到着予想時刻に関する演算と、蓄電池２１１の必要充電量に関する演算とを電動車両（電気自動車２０１）で行い、その結果を充電装置（電気機器１０１）に送信する形態で説明するが、電動車両から現在位置等の必要な情報を充電装置に送信して充電装置で演算する形態でもよい。
【０１９７】
また、電力制御システムは、充電装置と電動車両との間で情報通信を仲介するサーバ装置をさらに備え、電動車両から現在位置等の情報をサーバ装置に送信して、サーバ装置で演算を行い、その結果を充電装置に送信する形態でもよい。
【０１９８】
電気自動車２の第１の通信部２１は、電気自動車２の現在の位置情報及び目的地（自宅）の位置情報をサーバ装置に送信し、サーバ装置は車載ナビゲーション装置２５に代わって、現在位置から目的地（充電装置の存在する地点）までの距離に関する距離情報、及び現在位置から目的地（充電装置の存在する地点）までの走行時間と目的地への到着予想時刻とに関する時間情報を算出して、電気機器１０１の備える通信部１１２に送信する。
【０１９９】
また、電気自動車２の第１の通信部２１は、車載バッテリー２３の現在の残量に関する情報をサーバ装置に送信し、サーバ装置は充電情報検知部２２に代わって、目的地に到着時点での車載バッテリー２３の残量を算出して、電気機器１０１の備える通信部１１２に送信する。
【０２００】
これにより、電気自動車２又は電力制御装置１６において、設置場所への到着時刻や到着時点における車載バッテリー２３の残量を算出する必要がなく、電気自動車２及び電力制御装置１６における処理を軽減することができる。
【０２０１】
加えて、サーバ装置で電気自動車２の到着時刻及び車載バッテリー２３の残量を算出する際に、通過する道路の交通情報及び天気情報を他のサーバ装置から取得して参照するようにすれば、渋滞による到着時刻の遅れを考慮して精度の高い到着時刻を算出したり、雨天時のワイパーの使用及び空調機器の使用による車載バッテリーの電気の消費を考慮して精度の高い車載バッテリー２３の残量を算出することができる。
【０２０２】
また、到着予想時刻については乗員自身が到着予想時刻を計算してナビゲーション部２１４にその到着予想時刻を入力する形態でもよい。
【０２０３】
なお、充電装置の存在する地点は、自宅に限定されず、ナビゲーション部２１４が、電気自動車２０１の現在位置に近い充電装置を検索してもよい。また、充電可能な知人宅又は施設をナビゲーション部２１４に予め登録させておいてもよい。本実施の形態では、充電装置の存在する地点を自宅として説明する。また、到着予想時刻は、帰宅予想時刻とする。
【０２０４】
次に、本発明の実施の形態５の電気機器とその周辺機器とについて説明する。図１８は、本発明の実施の形態５における電力制御システムの構成の一例を示すブロック図である。なお、図１８において、図１７と同じ機能には同じ番号を付与する。
【０２０５】
図１８に示す電力制御システムは、電気機器１０１，１０７、アンペアブレーカ１０５、分岐ブレーカ１０６，１０８及び電気自動車２０１を備える。
【０２０６】
アンペアブレーカ１０５は、交流電源１０４（家庭用１００Ｖ又は２００Ｖ電源）の上流に設置され、背景技術の特許文献２と同様に、家庭全体の使用電力が契約電力容量を超えたときに電力の供給を遮断する。
【０２０７】
また、交流電源１０４から電気機器１０１に給電するときはアンペアブレーカ１０５との間に分岐ブレーカ１０６（例えば２０Ａの許容電流）が設置され、電気機器１０１の異常動作又は短絡により過電流が流れないようにする。他の電気機器１０７及び他の分岐ブレーカ１０８は、電気機器１０１及び分岐ブレーカ１０６と同様である。
【０２０８】
電気機器１０１は、接続部１１１、通信部１１２、充電部１１３、総使用電力検知部１１４、電気機器の機能ブロック１１５、電気機器制御部１１６、第１の使用電力検知部１１７、充電制御部１１８、第２の使用電力検知部１１９、時間調整部１２０及び使用者指示部１２４を備える。
【０２０９】
本実施の形態５の電気機器１０１は、屋外に充電部１１３を備え、充電部１１３を用いて電気自動車２０１又は電動自転車のような蓄電池２１１を搭載した電動車両を屋外で充電することができる。
【０２１０】
接続部１１１は、例えばコンセントであり、電動車両以外の蓄電池に接続して充電してもよい。なお、接続部１１１はコンセントに限らない。
【０２１１】
電気機器１０１の詳細な構成について以下に説明する。
【０２１２】
総使用電力検知部１１４は、例えば電力計であり、充電部１１３への供給電力を含めた電気機器１０１全体での総使用電力を検知する。なお、総使用電力検知部１１４は、電気機器１０１と別筐体にして、検知した総使用電力の情報を電気機器１０１と通信するコンセント形状のアダプタとしてもよい。
【０２１３】
電気機器１０１が所有する機器本来の機能は、電気機器１０１の機能ブロック１１５と、機能ブロック１１５を制御する電気機器制御部１１６とで実現される。例えば、機能ブロック１１５は、コンプレッサー又はインバータ回路などのアクチュエータであり、電気機器１０１が電気給湯機であれば給湯機能であり、電気機器１０１が貯湯機器であれば貯湯機能であり、電気機器１０１がエアコンであればエアコン機能であり、電気機器１０１が照明機器であれば照明機能である。電気機器制御部１１６は、例えばマイクロコンピュータ及びマイクロコンピュータの周辺部であり、電気機器１０１の機能ブロック１１５を制御する。
【０２１４】
第１の使用電力検知部１１７は、機能ブロック１１５と電気機器制御部１１６との電源ラインに挿入され、電気機器１０１の本来の機能で使用する電力を検知する。
【０２１５】
図１９は、本発明の実施の形態５における電気機器１０１の使用電力例を示す図である。例えば、電気給湯機の使用電力は、夏期の加熱時において１１６０Ｗであり、冬季の高温加熱時において２０００Ｗである。また、例えば、エアコンの使用電力は、冷房時において８５〜１１５０Ｗであり、暖房時において８０〜１９８０Ｗである。さらに、例えば、照明器具の使用電力は、３６Ｗである。図１９に示すように電気給湯機又はエアコンは最大で１０００〜２０００Ｗの電力を使用する。
【０２１６】
電気機器１０１は、充電機能として、接続部１１１に接続された電気自動車２０１の蓄電池２１１を充電する充電部１１３と、充電部１１３を制御する充電制御部１１８とを備える。充電部１１３は、蓄電池２１１の状態に応じて充電に最適な電圧及び電流を作り出す電圧及び電流変換機能と、蓄電池２１１の充電状態を検知する充電状態検知機能とを備える。
【０２１７】
第２の使用電力検知部１１９は、充電部１１３と充電制御部１１８との電源ラインに挿入され、充電部１１３で使用する電力を検知する。
【０２１８】
例えば、家庭用の２００Ｖ−１５Ａ電源を用いて電気自動車２０１の蓄電池２１１を１６ｋＷｈで充電する場合、８時間程度かかる。すなわち、電気機器１０１の機能ブロック１１５、電気機器制御部１１６、充電部１１３及び充電制御部１１８を併用して運転すると、最大で４０００〜５０００Ｗの電力を使用することになる。このとき、分岐ブレーカ１０６は、電気機器１０１への電力供給を遮断する。
【０２１９】
分岐ブレーカ１０６の遮断を防ぐために、電気機器１０１は時間調整部１２０を備える。時間調整部１２０は、電気機器１０１が有する本来の機能で使用する電力と、充電機能で使用する電力とを把握し、把握した電力に基づいて算出した電力使用料金に応じて、両機能を同時に運転させたり、両機能で使用する電力を割り当てて調整したり、両機能のいずれか一方を先に運転させたりするなど、使用する電力の制御と使用する時間の調整とを行う。
【０２２０】
すなわち、時間調整部１２０は、通信部１１２によって受信された充電情報に基づいて、電気機器１０１への電力供給と蓄電池２１１への充電とが所定時刻までに完了するように、電気機器１０１への電力供給開始時刻及び蓄電池２１１への充電開始時刻を決定する。
【０２２１】
充電情報は、電気自動車２０１の現在位置から電気機器１０１が設置されている設置場所までの距離に基づいて求められた、電気機器１０１が設置されている設置場所に到着する到着予定時刻を含む。時間調整部１２０は、蓄電池２１１への充電開始時刻が到着予定時刻以降となり、かつ蓄電池２１１の充電に必要な電力と、電気機器１０１の運転による使用電力との合計電力が所定値を超えないように、電気機器１０１への電力供給開始時刻及び蓄電池２１１への充電開始時刻を決定する。
【０２２２】
なお、以下の説明において、電気機器１０１の運転との記載は、電気機器１０１の機能ブロック１１５の運転を表す。例えば、電気機器１０１が、湯を沸き上げる機能と蓄電池２１１の充電機能とを有する電気給湯機であれば、電気機器１０１の運転とは、電気給湯機の本来の機能である、湯を沸き上げる機能を実行することである。
【０２２３】
また、充電情報は、電気自動車２０１の現在位置から電気機器１０１が設置されている設置場所までの距離に基づいて求められた、設置場所への到着時点における蓄電池２１１の残量の情報をさらに含む。時間調整部１２０は、蓄電池２１１の残量に応じて蓄電池２１１への充電に要する時間を算出し、算出した蓄電池２１１への充電に要する時間と、到着予定時刻とに基づいて、電気機器１０１への電力供給開始時刻及び蓄電池２１１への充電開始時刻を決定する。
【０２２４】
時間調整部１２０は、優先順位記憶部１２１、電力使用料金情報記憶部１２２及び使用電力演算部１２３を備える。優先順位記憶部１２１は、優先的に運転させる電気機器１０１の機能及び充電機能についての優先順位を記憶する。電力使用料金情報記憶部１２２は、交流電源１０４の時間帯別電力使用料金情報を記憶する。使用電力演算部１２３は、電気機器１０１の使用電力と充電部１１３の使用電力との総和が所定値（交流電源１０４からの供給能力）以下を維持するように、電気機器１０１の動作を制御するとともに、充電部１１３から蓄電池２１１に供給する電力を制御する。
【０２２５】
また、図示しないが、時間調整部１２０は、電気機器１０１の運転時間と充電部１１３の充電時間とを調整するための時計部を備えている。
【０２２６】
優先順位記憶部１２１は、電気機器１０１の使用電力と、蓄電池２１１の充電状態と、時間帯別電力使用料金情報とに応じた優先順位を記憶している。また、優先順位記憶部１２１は、使用者の使い勝手の良い優先順位を設定したり、優先順位記憶部１２１が、電気機器１０１及び蓄電池２１１の使用状況に応じて学習する構成でも構わない。
【０２２７】
電力使用料金情報記憶部１２２は、時間帯別電力使用料金情報を予め記憶しておいたり、電力需要に応じて変化する時間帯別電力使用料金情報を通信ネットワーク経由でダウンロードする（図示しない）構成のほか、太陽光発電や燃料電池から電力を発生するときに電力使用料金を安くさせることも考えられる。
【０２２８】
時間調整部１２０は、電力使用料金情報記憶部１２２に記憶されている時間帯別電力使用料金情報に基づいて、充電開始時刻より前に電気機器１０１の運転を開始した場合の電力使用料金と、充電終了時刻より後に電気機器１０１の運転を開始した場合の電力使用料金とを算出し、算出した電力使用料金の安いほうを選択する。
【０２２９】
図２０は、本発明の実施の形態５における時間帯別電力使用料金情報の一例を示す図である。図２０では、２００Ｖ電源を扱うオール電化住宅の時間帯別電気料金制度における時間帯別電力使用料金情報を示している。電力使用料金は、時間帯毎に異なっており、電力使用料金情報記憶部１２２は、１ｋＷｈ当たりの電力使用料金を時間帯毎に記憶する。
【０２３０】
図２０に示すように、午後１１時から午前７時までの時間帯における電力使用料金は、９円／ｋＷｈであり、午前７時から午前１０時までの時間帯における電力使用料金は、２３円／ｋＷｈであり、午前１０時から午後５時までの時間帯における電力使用料金は、夏季（７月〜９月）で３３円／ｋＷｈであり、夏季以外の季節で２８円／ｋＷｈであり、午後５時から午後１１時までの時間帯における電力使用料金は、２３円／ｋＷｈである。
【０２３１】
使用電力演算部１２３は、第１の使用電力検知部１１７によって検知された電気機器１０１の機能ブロック１１５の使用電力値と、第２の使用電力検知部１１９によって検知された充電部１１３から蓄電池２１１への供給電力値とを取得して、電気機器１０１の使用電力と充電部１１３の使用電力との総和を演算する。あるいは、使用電力演算部１２３は、総使用電力検知部１１４で計測した電力値を、電気機器１０１の使用電力と充電部１１３の使用電力との総和として用いてもよい。また、使用電力演算部１２３は、電気機器１０１の機能ブロック１１５の使用電力値と充電部１１３の使用電力値とを学習して、電気機器１０１の運転モード毎又は充電部１１３の充電モード毎の使用電力を記憶するようにしてもよい。
【０２３２】
以上のように、使用電力演算部１２３は、充電を含めた電気機器１０１全体の使用電力を得て、電気機器１０１全体の使用電力の総和が所定値（許容電力）以下になるよう次の３つの電力供給の制御を行う。
【０２３３】
（１）使用電力演算部１２３は、電気機器１０１の機能ブロック１１５の使用電力と充電部１１３の使用電力とを取得して、所定値に対して総使用電力の余裕が大きいときは電気機器１０１の機能ブロック１１５と充電部１１３とを同時に運転させる。
【０２３４】
（２）使用電力演算部１２３は、電気機器１０１の機能ブロック１１５の使用電力と充電部１１３の使用電力とを取得して、所定値に対して総使用電力の余裕が少ないときは、電気機器１０１の機能ブロック１１５で使用する電力と充電部１１３で使用する電力と所定値内で割り当て、電気機器１０１の機能ブロック１１５と充電部１１３とを同時に運転させる。
【０２３５】
例えば、電気機器１０１が電気給湯機であれば、湯の沸き上げモードから保温モードに切り替えて使用電力を一時的に減らすことができる。電気機器１０１がエアコンであれば、運転モードの変更、設定温度の変更、又は風量の低減により、使用電力を一時的に減らすことができる。また、充電部１１３は、蓄電池２１１に供給する電力（電流又は電圧）を減らすことができる。
【０２３６】
（３）使用電力演算部１２３は、電気機器１０１の機能ブロック１１５の使用電力と充電部１１３の使用電力とを取得して、所定値に対して総使用電力の余裕がないときは、電気機器１０１の機能ブロック１１５と充電部１１３とを同時に運転させずに、時間をずらして機能ブロック１１５と充電部１１３とを運転させる。
【０２３７】
本実施の形態では上記（３）について主に説明する。
【０２３８】
なお、分岐ブレーカ１０６の許容電流とほぼ同じ値、分岐ブレーカ１０６の許容電流以下の値、又は分岐ブレーカ１０６の許容電流より少し多めの値が、使用電力の総和の上限である所定値として初期設定される。
【０２３９】
使用者指示部１２４は、例えば、リモートコントローラであり、電気機器１０１の運転状態を遠隔で表示するとともに、電気機器１０１の運転を遠隔で制御する。使用者指示部１２４は、電気機器制御部１１６、充電制御部１１８及び時間調整部１２０の設定状態又は運転状態を表示し、使用者による電気機器１０１の運転の設定及び制御と蓄電池２１１の充電の設定及び制御とを受け付ける。これにより、使用者は、電気機器１０１の運転と蓄電池２１１の充電とを設定及び制御することができる。
【０２４０】
電気機器１０１と使用者指示部１２４との通信媒体は、赤外線通信、無線通信（電波）、有線通信、又は電灯線通信などが考えられる。また、使用者指示部１２４は、電気給湯機のリモートコントローラのように台所の壁に固定設置する形態、又はエアコンのリモートコントローラのように使用者が持ち運んで好みの場所で使用する形態などが考えられる。
【０２４１】
通信部１１２は、電気自動車２０１に電力を供給する場所に電気自動車２０１が到着する前に、電気自動車２０１の通信部２１５から電気自動車２０１の蓄電池２１１の充電に関する充電情報を受信し、使用者指示部１２４、充電制御部１１８及び時間調整部１２０に出力する。使用者指示部１２４は、通信部１１２によって受信された充電情報を表示する。通信部２１５と通信部１１２とで通信するタイミングは、少なくとも以下の３つが考えられる。もちろん、通信環境が許せば、常時通信又は定期的な通信（例えば、数分毎）を行ってもよい。
【０２４２】
（１）通信部２１５は、電気自動車２０１の乗員がナビゲーション部２１４を操作して、行き先を自宅（充電装置の存在する場所）に設定したとき、充電情報を通信部１１２へ送信する。
【０２４３】
（２）通信部２１５は、電気自動車２０１が行き先である自宅に向かって移動を始めたとき、充電情報を通信部１１２へ送信する。
【０２４４】
（３）通信部２１５は、電力使用料金が変わる時刻、すなわち、午前７時、午前１０時、午後５時又は午後１１時になったとき、充電情報を通信部１１２へ送信する。
【０２４５】
このように、上記の（１）及び（２）の通信タイミングにおいて、時間調整部１２０は、充電情報（電気自動車２０１の現在位置に関する位置情報、現在位置から自宅までの距離に関する距離情報、及び、現在位置から自宅までの走行時間と自宅への到着予想時刻とに関する時間情報）を取得し、取得した帰宅予想時刻を用いて以下に述べるような電気機器１０１の機能ブロック１１５の運転と蓄電池２１１の充電との時間調整計画を帰宅前に作成する。
【０２４６】
また、上記の（３）の通信タイミングにおいて、時間調整部１２０は、電気自動車２０１の最新状態（最新の充電情報）を取得することで、電力使用料金が変わるときに、すでに計画していた電気機器１０１の機能ブロック１１５の運転と蓄電池２１１の充電との制御計画を見直すことができる。例えば、ナビゲーション部２１４において行き先が設定されていない場合であっても、上記の（３）の通信タイミングで、時間調整部１２０は、現在位置から自宅に直行で帰宅した場合を想定した最短の帰宅予想時刻を取得することができる。
【０２４７】
ここで、充電部１１３による蓄電池２１１の充電状態と、充電状態に応じた充電の電圧及び電流制御とについて図２１を用いて説明する。
【０２４８】
図２１は、蓄電池がリチウム電池である場合の充電シーケンスを示す図である。図２１において、横軸は充電時間を表し、縦軸の左側目盛りは電圧を表し、縦軸の右側目盛りは充電電流と充電容量とを表す。１Ｃとは、公称容量値の容量を有するセルを定電流放電して、ちょうど１時間で放電終了となる電流値の単位である。
【０２４９】
図２１に示すように、充電部１１３は、充電状態が０（グラフの左側）に近い状態から充電を開始すると、最初は一定電流（１Ｃ電流）で充電を行う（定電流充電モード）。このとき、電圧は充電にともなって上昇し、充電容量は時間にほぼ比例して充電される。
【０２５０】
そして、図２１では、充電部１１３は、充電容量が７５％（０．７５ＣＡｈ）以上になると、４．２Ｖの一定電圧（１Ｃ電圧）で充電を行う（定電圧充電モード）。このとき、電流は充電にともなって減少し、充電容量は徐々に満充電（１．０ＣＡｈ）になる。
【０２５１】
すなわち、定電流充電モードでは充電に大きな電力を必要とし、定電圧充電モードでは充電に必要な電力は小さくなっていく。
【０２５２】
なお、定電圧充電モードは図２１のように電圧を一定にしながら電流を減少させるので時間がかかる。そこで、充電部１１３は、定電圧充電モードに代えてパルス充電モードで充電してもよい。パルス充電モードでは、充電部１１３は、充電中の短時間だけ４．２Ｖを超えて電流を大きくして充電し、その後に電圧が４．２Ｖ以上であれば充電を停止し、電圧が４．２Ｖ未満であれば再び４．２Ｖのパルスで充電を行う。
【０２５３】
以上のように、充電部１１３は、蓄電池２１１の充電状態を検知して、充電状態に応じて充電の電圧及び電流を制御する。
【０２５４】
本実施の形態では、充電の電圧及び電流の制御を充電部１１３で行う例について説明するが、電気自動車２０１側の車載充電回路２１２で制御を行う構成も可能である。車載充電回路２１２と、充電部１１３及び充電制御部１１８とは接続部１１１を介して接続され、電気機器１０１側と電気自動車２０１側とに機能を分担する。ここでは、図１８を一例として説明する。
【０２５５】
なお、本実施の形態５において、電気自動車２０１が電動車両の一例に相当し、蓄電池２１１が蓄電池の一例に相当し、電気機器１０１が電気機器及び電力制御装置の一例に相当し、ナビゲーション部２１４が充電情報取得部の一例に相当し、通信部２１５が送信部の一例に相当し、通信部１１２が受信部の一例に相当し、時間調整部１２０が電力制御部の一例に相当し、電力使用料金情報記憶部１２２が電気料金情報記憶部の一例に相当する。
【０２５６】
以上の構成において、本実施の形態５の電気機器１０１の動作について図２２のフローチャートを用いて説明する。図２２は、本発明の実施の形態５における電気機器の動作を説明するためのフローチャートである。
【０２５７】
最初のステップＳ５１において、時間調整部１２０は、電気機器１０１の機能ブロック１１５の現在の運転状態（運転モード及び使用電力）と、タイマー運転の予約状況（運転開始予定時刻、運転終了予定時刻、及び運転開始予定時刻から運転終了予定時刻までの使用電力）とを電気機器制御部１１６から取得する。なお、時間調整部１２０は、タイマー運転の予約状況があれば電気機器制御部１１６から取得する。運転状態及び予約状況は、使用者指示部１２４（リモートコントローラ）から取得してもよい。
【０２５８】
電気機器１０１の機能ブロック１１５の使用電力については第１の使用電力検知部１１７によって検知した値を用いてもよいし、電気機器１０１の機能ブロック１１５の運転モード毎にあらかじめ記憶している電流値を用いて算出してもよい。
【０２５９】
次に、ステップＳ５２において、時間調整部１２０は、蓄電池２１１の充電状態と、電気自動車２０１の帰宅予想時刻と帰宅時の蓄電池２１１の必要充電量とを少なくとも含む充電情報とを取得する。時間調整部１２０は、定電流充電モード、低電圧充電モード及びパルス充電モードのいずれの充電モードで充電するかを表す蓄電池２１１の充電状態を充電制御部１１８から取得する。通信部１１２は、電気自動車２０１の通信部２１５によって送信された充電情報を受信し、受信した充電情報を時間調整部１２０へ出力する。
【０２６０】
なお、本実施の形態では、電気自動車２０１の帰宅予想時刻を電気自動車２０１から取得しているが、本発明は特にこれに限定されず、電気自動車２０１の帰宅予想時刻については、通信部１１２によって受信された電気自動車２０１の位置情報、自宅までの距離情報、及び帰宅するまでに要する時間情報を取得することで、帰宅予想時刻（到着予想時刻）を充電制御部１１８が算出してもよい。
【０２６１】
次に、ステップＳ５３において、時間調整部１２０は、電力使用料金情報記憶部１２２から時間帯別電力使用料金情報を取得する。次に、ステップＳ５４において、時間調整部１２０は、使用者指示部１２４から使用者の指示内容を取得する。なお、使用者の指示がない場合もある。
【０２６２】
次に、ステップＳ５５において、時間調整部１２０は、優先順位記憶部１２１から電気機器１０１の機能ブロック１１５の運転と電気自動車２０１の蓄電池２１１の充電との優先順位を取得し、ステップＳ５１で取得した電気機器１０１の機能ブロック１１５の使用電力とステップＳ５２で取得した蓄電池２１１の充電状態とステップＳ５３で取得した時間帯別電力使用料金情報とに基づいて優先順位を判断する。すなわち、時間調整部１２０は、電気機器１０１の機能ブロック１１５の運転と充電部１１３の充電とのいずれを優先して行うかを決定する。
【０２６３】
図２３は、本発明の実施の形態５における優先順位の一例を示す図である。時間調整部１２０は、蓄電池２１１の充電状態と時間帯別電力使用料金情報とに基づいて、優先順位（ａ）〜（ｄ）のいずれかを決定する。
【０２６４】
優先順位（ａ）及び優先順位（ｂ）は、充電状態が定電流充電モード（図２１で充電容量が７５％以下）であり、充電で使用する電力が大きい場合である。
【０２６５】
ここで、時間調整部１２０は、時間帯別電力使用料金情報を参照して電力使用料金の最も安い時間帯であるときは、蓄電池２１１の充電を優先させる優先順位（ａ）に決定する。これにより、電力使用料金が最も安い時間帯に蓄電池２１１に充電可能なときは充電し、可能であれば電気機器１０１もあわせて運転させる。
【０２６６】
また、時間調整部１２０は、充電状態が定電流充電モードであり、電力使用料金の最も安い時間帯以外の時間帯であるときは、電気機器１０１の運転を優先させる優先順位（ｂ）に決定する。これにより、主な生活時間帯は電気機器１０１の使用を優先し、夜間に蓄電池２１１を充電できるように、生活時間帯では充電せずに充電容量をそのまま空けておく。
【０２６７】
また、優先順位（ｃ）及び優先順位（ｄ）は、充電状態が定電圧充電モード又はパルス充電モード（図２１で充電容量が７５％以上）であり、充電で使用する電力が小さい場合である。時間調整部１２０は、充電状態が定電圧充電モード又はパルス充電モードであり、電力使用料金の最も安い時間帯であるときは、電気機器１０１の運転を優先させる優先順位（ｃ）に決定する。また、時間調整部１２０は、充電状態が定電圧充電モード又はパルス充電モードであり、電力使用料金の最も安い時間帯以外の時間帯であるときは、電気機器１０１の運転を優先させる優先順位（ｄ）に決定する。
【０２６８】
充電状態が定電圧充電モード又はパルス充電モードである場合、時間帯別電力使用料金情報に関わらず電気機器１０１の運転を優先し、可能であれば充電部１１３で必要電力の小さい充電を行う。
【０２６９】
以上のような優先順位に従って以下に図２２の制御ステップを説明する。
【０２７０】
ステップＳ５６において、時間調整部１２０は、電気機器１０１の機能ブロック１１５の運転時間と、機能ブロック１１５の運転時に使用される使用電力との見積もりを行う。時間調整部１２０は、電気機器制御部１１６から取得した運転開始予定時刻及び運転終了予定時刻に基づいて、電気機器１０１の機能ブロック１１５の運転時間を算出するとともに、機能ブロック１１５の運転時に使用される使用電力を算出する。
【０２７１】
次に、ステップＳ５７において、時間調整部１２０は、電気自動車２０１の蓄電池２１１の充電時間と、蓄電池２１１の充電時に使用される使用電力との見積もりを行う。時間調整部１２０は、電気自動車２０１から取得した電気自動車２０１の帰宅予想時刻と帰宅時の蓄電池２１１の必要充電量とに基づいて、電気自動車２０１の蓄電池２１１の充電時間を算出するとともに、蓄電池２１１の充電時に使用される使用電力とを算出する。より具体的に、時間調整部１２０は、電気自動車２０１から取得した電気自動車２０１の帰宅予想時刻を充電開始時刻とし、充電開始時刻から必要充電量を充電するのに要する充電時間を算出する。また、時間調整部１２０は、必要充電量を充電するのに要する使用電力を算出する。
【０２７２】
次に、ステップＳ５８において、時間調整部１２０は、電気機器１０１の機能ブロック１１５の運転時の使用電力と、蓄電池２１１の充電時の使用電力とを足し合わせた合計使用電力の見積もりを行う。
【０２７３】
次に、ステップＳ５９において、時間調整部１２０は、電気機器１０１の機能ブロック１１５の運転時間と、蓄電池２１１の充電時間とを重ね合わせ、機能ブロック１１５の運転と蓄電池２１１の充電とで使用する電力使用料金の見積もりを行う。
【０２７４】
次に、ステップＳ６０において、時間調整部１２０は、電気機器１０１の機能ブロック１１５の運転と蓄電池２１１の充電との制御計画を作成する。時間調整部１２０は、合計使用電力を所定値である許容電力と比較し、合計使用電力が許容電力よりも大きい時間が存在する場合には制御計画を見直す。例えば、時間調整部１２０は、運転時間及び充電時間をずらして調整する。また、時間調整部１２０は、電気機器１０１の機能ブロック１１５の運転開始予定時刻から運転終了予定時刻までの運転時間と、蓄電池２１１の充電開始時刻から充電終了時刻までの充電時間とを前後にずらし、運転時間と充電時間とが可能な限り電力使用料金が最も安い時間帯に収まるように運転時間と充電時間とを調整する。これらの時間調整については図面を示しながら詳細を後で述べる。
【０２７５】
本実施の形態では、時間調整部１２０は、ステップＳ５２で帰宅予想時刻を得ている。そのため、時間調整部１２０は、帰宅予想時刻において他の電気機器の運転をやめて使用可能な電力を蓄電池２１１の充電用に確保しておき、蓄電池２１１の充電が終了すれば他の電気機器の運転を開始するような時間調整ができる。
【０２７６】
また、電気自動車２０１の帰宅予想時刻だけでも本実施の形態は実現可能である。しかしながら、時間調整部１２０は、さらに電気自動車２０１の蓄電池２１１の現在蓄電量を取得すれば、現在蓄電量と位置情報と距離情報とに基づいて、帰宅したときの予測蓄電量又は帰宅したときに充電に必要な電力量（必要充電量）を算出することができる。
【０２７７】
充電制御部１１８は、図２１の充電容量及び充電時間のグラフを参照して充電に必要な時間を得ることができ、帰宅予想時刻に帰宅してすぐに充電開始した場合の充電終了時刻を予測することができる。
【０２７８】
すなわち、蓄電池２１１の予測蓄電量が得られれば、帰宅した時の蓄電状態が予めわかる。そのため、時間調整部１２０は、予測蓄電量を用いて、蓄電池２１１の充電と電気機器１０１の機能ブロック１１５の運転とが重なった場合にどちらを優先させればよいか判断できる。例えば、時間調整部１２０は、予測蓄電量が所定値以下（例えば満充電の７５％以下）であれば、電気機器１０１の機能ブロック１１５の運転よりも蓄電池２１１の充電を優先させ、予測蓄電量が所定値以上であれば、蓄電池２１１の充電よりも電気機器１０１の機能ブロック１１５の運転を優先させることができる。
【０２７９】
加えて、充電を開始する時刻が決まれば充電を終了する時刻（充電終了時刻）が予測できる。そのため、時間調整部１２０は、電気機器１０１の機能ブロック１１５の運転よりも蓄電池２１１の充電を優先させた場合に、電気機器１０１の機能ブロック１１５の運転が開始する時刻及び運転が終了する時刻を計画することができる。
【０２８０】
ステップＳ６０において制御計画が作成された場合、ステップＳ６１において、時間調整部１２０は、使用者指示部（リモートコントローラ）２６などによって使用者に、電気機器１０１の機能ブロック１１５の運転計画（運転時間、運転内容及び使用電力量）と、蓄電池２１１の充電計画（充電開始時刻、充電終了時刻、充電量及び使用電力）とを含む制御計画を報知する。時間調整部１２０は、使用者指示部１２４に制御計画を表示させるだけでなく、通信部１１２を介して電気自動車２０１に制御計画を送信し、電気自動車２０１のナビゲーション部２１４に制御計画を表示させることにより、制御計画を乗員に報知してもよい。
【０２８１】
次に、ステップＳ６２において、時間調整部１２０は、作成された制御計画において、充電開始時刻が帰宅予想時刻よりも所定時間以上（例えば１０分以上）遅れるか否かを判断する。ここで、充電開始時刻が帰宅予想時刻よりも所定時間以上遅れると判断された場合（ステップＳ６２でＹＥＳ）、ステップＳ６３において、時間調整部１２０は、通信部１１２を介して電気自動車２０１に充電開始時刻を送信し、電気自動車２０１のナビゲーション部２１４に充電開始時刻を表示させることにより、充電開始時刻を電気自動車２０１の乗員に通知する。これによって、乗員は、予定通り帰ってもすぐに充電ができないことがわかり、時間に余裕があれば帰宅時間を調整することができる。
【０２８２】
充電開始時刻を電気自動車２０１の乗員に通知した後、又は充電開始時刻が帰宅予想時刻よりも所定時間以上遅れないと判断された場合（ステップＳ６２でＮＯ）、ステップＳ６４において、電気機器制御部１１６及び充電制御部１１８は、作成した制御計画に基づいて機能ブロック１１５を運転するとともに蓄電池２１１を充電する。なお、図示しないが、制御計画の実行中、あるいは制御計画の実行待ち時間中に、定期的にステップＳ５１の処理に戻って各種情報を再取得し、最新の情報を用いて制御計画の見直しを行ってもよい。また、制御計画の実行中に使用者指示部１２４からの割り込みがあれば、当該割り込みを受け付けて制御計画を変更してもよい。
【０２８３】
以上のようなフローチャートによって電気機器１０１の機能ブロック１１５の運転と蓄電池２１１の充電との制御計画が作成され、当該制御計画が実行される。この制御計画について図２４（Ａ）〜（Ｄ）を用いて説明する。
【０２８４】
図２４（Ａ）は、充電開始時刻が運転時間に重なる場合における制御計画の一例を示す図であり、図２４（Ｂ）は、充電終了時刻が運転時間に重なる場合における制御計画の一例を示す図であり、図２４（Ｃ）は、充電時間の前に運転時間をずらした場合における制御計画の一例を示す図であり、図２４（Ｄ）は、充電時間の後に運転時間をずらした場合における制御計画の一例を示す図である。
【０２８５】
図２４（Ａ）のように、電気自動車２０１の帰宅予想時刻を取得し、帰宅予想時刻を電気自動車２０１の充電開始時刻とすると、充電開始時刻が、電気機器１０１が運転を予定している運転時間帯に重なっている場合がある。充電に必要な電力と電気機器１０１の運転による使用電力との合計が所定値（許容電力）を超えない場合は、このように蓄電池２１１の充電と電気機器１０１の運転とを併用して動作させることは可能である。しかしながら、蓄電池２１１の充電に必要な電力が大きくて合計使用電力が許容電力を超えるような場合は、時間調整する必要がある。
【０２８６】
また、図２４（Ｂ）のように、電気自動車２０１の帰宅予想時刻とあわせて、帰宅したときの蓄電池２１１の必要充電量に関する情報を取得すれば、充電に必要な時間、すなわち充電開始時刻と充電終了時刻とが得られる。充電終了時刻が電気機器１０１の運転を予定している運転時間帯に重なっている場合がある。図２４（Ａ）と同様に、充電に必要な電力と電気機器１０１の運転による使用電力との合計が所定値（許容電力）を超えない場合は、このように蓄電池２１１の充電と電気機器１０１の運転とを併用して動作させることは可能である。しかしながら、蓄電池２１１の充電に必要な電力が大きくて合計使用電力が許容電力を超えるような場合は、時間調整する必要がある。
【０２８７】
そこで、電気自動車２０１の充電の優先順位が、電気機器１０１の運転の優先順位より高い場合には、時間調整部１２０は、図２４（Ｃ）のように、電気機器１０１の運転時間と蓄電池２１１の充電時間とが重ならないように、電気機器１０１の運転時間を充電時間より前にずらしたり、図２４（Ｄ）のように、電気機器１０１の運転時間と蓄電池２１１の充電時間とが重ならないように、電気機器１０１の運転時間を充電時間の後ろにずらしたりする。
【０２８８】
一方、電気機器１０１の運転の優先順位が、電気自動車２０１の充電の優先順位より高い場合には、時間調整部１２０は、図示しないが、電気機器１０１の運転が終了した後で電気自動車２０１の充電を行うように、充電開始時刻をずらす。
【０２８９】
ここで、電気機器１０１は、電気料金の最も安い時間帯にあわせて予約運転する場合が多い。そのため、図２４（Ｃ）及び図２４（Ｄ）に示す制御計画は、時間帯別電力使用料金情報を考慮する必要がある。この制御計画について図２５（Ａ）〜（Ｃ）を用いて説明する。
【０２９０】
図２５（Ａ）は、充電時間の前に運転時間をずらした場合における制御計画の一例を示す図であり、図２５（Ｂ）は、充電時間の後に運転時間をずらした場合における制御計画の一例を示す図であり、図２５（Ｃ）は、電力使用料金の最も安い時間帯の開始時刻から電気機器の運転を開始し、充電時間の前に運転を終了させる場合における制御計画の一例を示す図である。
【０２９１】
図２５（Ａ）では、電気機器１０１の運転時間を充電時間より前にずらしているが、電気機器１０１の運転時間及び蓄電池２１１の充電時間は、電力使用料金の最も安い時間帯に収まっている。一方、図２５（Ｂ）では、電気機器１０１の運転時間を充電時間より後ろにずらしているが、電気機器１０１の運転時間は、電気料金の最も安い時間帯を過ぎている。また、これとは逆に、電気機器１０１の運転時間を充電時間より前にずらすと電気料金の最も安い時間帯に収まらないが、電気機器１０１の運転時間を充電時間より後ろにずらすと電気料金の最も安い時間帯に収まる場合がある。
【０２９２】
これは、電気機器１０１の運転時間と、電気自動車２０１の充電時間と、帰宅予想時刻とによって定まる。従来は、帰宅予想時刻が得られないため、帰宅してから運転と充電との制御計画を作成していた。そのため、従来は、帰宅してすぐに充電を行った後に電気機器１０１を運転するか、電気機器１０１の運転が終わってから充電を行うかの選択肢しかなかった。つまり、従来は、帰宅する前に電気機器１０１の運転を行うという選択肢はなかった。
【０２９３】
そしてさらに、本実施の形態における時間調整部１２０は、図２５（Ａ）及び図２５（Ｂ）の両方の制御計画を作成し、作成した２つの制御計画の電力使用料金を比較して安いほうを選択することができる。これも、帰宅予想時刻を得てから制御計画を作成する効果である。
【０２９４】
また、図２５（Ｃ）のように、時間調整部１２０は、電力使用料金が最も安くなる時間帯の開始時刻（午後１１時）より以前の現在時刻において帰宅予想時刻を取得し、午後１１時から帰宅するまでの間で電気機器１０１の運転を開始して終了することが可能であれば、午後１１時から電気機器１０１の運転を開始するように電気機器１０１の運転開始予定時刻をずらす。このようにすれば、帰宅した時には既に電気機器１０１の運転は完了しているので、蓄電池２１１の充電に必要な電流又は蓄電池２１１の充電時間が電気機器１０１の運転に影響を与えることがない。
【０２９５】
図２６（Ａ）は、充電時間の前に運転時間をずらした結果、電気機器の運転時間が、電気料金の最も安い時間帯を過ぎた場合における制御計画の一例を示す図であり、図２６（Ｂ）は、図２６（Ａ）の状態から、運転時間及び充電時間を後にずらした場合における制御計画の一例を示す図であり、図２６（Ｃ）は、電気機器の運転時間を分割させる場合における制御計画の一例を示す図である。
【０２９６】
また、図２６（Ａ）のように、電気機器１０１の運転時間を充電時間より前にずらすと、電気機器１０１の運転開始時刻が電力使用料金の最も安い時間帯より前に出てしまう場合がある。このような場合は、時間調整部１２０は、図２６（Ｂ）のように、電力使用料金の最も安い時間帯の開始時刻まで待ってから電気機器１０１の運転を開始し、電気機器１０１の運転が終了してから蓄電池２１１の充電を行うように、電気機器１０１の運転時間及び蓄電池２１１の充電時間を後にずらす。これにより、電力使用料金を安くすることができる。
【０２９７】
すなわち、電気機器１０１の運転時間を充電時間より前にずらしたときに運転開始時刻が電力使用料金の最も安い時間帯より前に出てしまう場合、時間調整部１２０は、出てしまった時間長だけ運転開始時刻を遅らせる。そして、時間調整部１２０は、電力使用料金の最も安い時間帯の開始時刻から電気機器１０１の運転を開始したときに、運転開始時刻から運転終了時刻までの運転時間と、充電開始時刻から充電終了時刻までの充電時間とが電力使用料金の最も安い時間帯に収まっているか否かを判断する。運転時間及び充電時間が電力使用料金の最も安い時間帯に収まっていれば、時間調整部１２０は、この運転時間及び充電時間で制御計画を作成する。
【０２９８】
このとき、電気機器１０１の運転終了時刻が帰宅予想時刻を過ぎる場合がある。その結果、充電開始時刻が遅くなる。そこで、上記の時間調整を行った場合、時間調整部１２０は、通信部１１２を介して電気自動車２０１の通信部２１５に充電開始時刻を送信し、ナビゲーション部２１４に充電開始時刻を表示させることにより、充電開始時刻を電気自動車２０１の乗員に知らせる（図２２のステップＳ６３）。
【０２９９】
また、図示しないが、上記のように時間調整しても電気機器１０１の運転開始時刻から運転終了時刻までの運転時間と、充電開始時刻から充電終了時刻までの充電時間とが電力使用料金の最も安い時間帯に収まらない場合、時間調整部１２０は、通信部１１２を介して電気自動車２０１の通信部２１５に電気機器１０１の運転開始時刻、電気機器１０１の運転終了時刻、蓄電池２１１の充電開始時刻及び蓄電池２１１の充電終了時刻を送信し、ナビゲーション部２１４に運転開始時刻、運転終了時刻、充電開始時刻及び充電終了時刻を表示させることにより、運転開始時刻、運転終了時刻、充電開始時刻及び充電終了時刻を電気自動車２０１の乗員に確認させてもよい。
【０３００】
あるいは、時間調整部１２０は、電気機器１０１の運転開始時刻、電気機器１０１の運転終了時刻、蓄電池２１１の充電開始時刻及び蓄電池２１１の充電終了時刻について複数の制御計画を作成し、通信部１１２を介して電気自動車２０１の通信部２１５に複数の制御計画を送信し、ナビゲーション部２１４に複数の制御計画を表示させることにより、制御計画を電気自動車２０１の乗員に選択させてもよい。
【０３０１】
また、図２６（Ｃ）のように、電気機器１０１の運転を一旦中断して蓄電池２１１の充電を行い、充電終了後に電気機器１０１の運転を再び開始することもできる。必ずしも運転の一時中断が可能な電気機器１０１ばかりではないが、例えば、電気機器１０１が電気給湯機であれば、沸き上げの途中で中断することができるし、電気機器１０１が衣類洗濯乾燥機であれば、洗濯、すすぎ及び脱水のあと衣類乾燥をある程度行ったところで運転を中断することができる。
【０３０２】
このように、時間調整部１２０は、電気機器１０１の運転が開始してから完了するまでを１単位として制御計画を作成するだけでなく、電気機器１０１の運転の途中で、所定値以上の運転を行うところまでを１単位として制御計画を作成することができる。
【０３０３】
例えば、電気機器１０１が衣類洗濯乾燥機であれば、洗濯、すすぎ、脱水及びある程度の乾燥を１単位とし、残りの完全乾燥までを１単位とする。
【０３０４】
また、例えば、電気機器１０１が食器洗い乾燥機であれば、食器洗浄及びすすぎを１単位とし、食器乾燥を１単位とする。
【０３０５】
また、蓄電池２１１の充電は、蓄電量が１００％充電になるまでを１単位として制御計画を作成するだけでなく、蓄電量が所定値（例えば、定電流充電モードを終える７５％充電）になるまでを１単位とし、蓄電量が残りの２５％充電になるまでを１単位として２つに分けて制御計画を作成してもよい。
【０３０６】
このように、時間調整部１２０は、帰宅予想時刻までのあいだに電気機器１０１の運転を開始して所定値以上（例えば１単位又は２単位）の運転を完了することが可能なときは、到着予想時刻までに所定値以上の運転が完了するよう運転時間を調整する。これにより、電気機器１０１の運転を分割して計画することができ、計画の柔軟性が高くなる。
【０３０７】
なお、図２４（Ｃ）、図２５（Ａ）及び図２５（Ｃ）のように、電気機器１０１の運転時間を充電時間より前にずらして実行したときに、電気機器１０１の運転時間が予定よりも延びた場合（例えば、衣類洗濯乾燥機において衣類の乾燥に時間がかかった場合）、電気機器１０１の運転終了時刻が帰宅予想時刻を過ぎる可能性がある。その結果、充電開始時刻が遅くなる。そこで、時間調整部１２０は、通信部１１２を介して電気自動車２０１の通信部２１５に充電開始時刻を送信し、ナビゲーション部２１４に充電開始時刻を表示させることにより、充電開始時刻を電気自動車２０１の乗員に知らせる（図２２のステップＳ６３）。
【０３０８】
なお、図２５（Ａ）〜（Ｃ）及び図２６（Ａ）〜（Ｃ）において、電力使用料金の最も安い時間帯とは別に、電気自動車２０１の使用予定時刻又は電気給湯機の使用予定時刻を設けて、使用予定時刻までに電気自動車２０１の充電又は電気給湯機の沸き上げを終わらせる終了時間期限の条件を、上記の制御計画に加えてもよい。時間調整部１２０は、終了時間期限に間に合うように制御計画を作成する。また、制御計画に無理がある場合は、使用者指示部１２４又はナビゲーション部２１４によって使用者又は乗員に知らせる。
【０３０９】
次に、図２２のステップＳ６０の制御計画作成処理についてさらに説明する。
【０３１０】
図２７及び図２８は、図２２のステップＳ６０の制御計画作成処理について説明するためのフローチャートである。
【０３１１】
まず、ステップＳ７１において、時間調整部１２０は、取得した電気機器１０１の機能ブロック１１５の運転開始予定時刻及び運転終了予定時刻と、取得した充電情報に含まれる帰宅予想時刻及び帰宅時の蓄電池２１１の必要充電量とに基づいて、電気機器１０１の機能ブロック１１５の運転と蓄電池２１１の充電との制御計画を作成する。時間調整部１２０は、帰宅予想時刻を充電開始時刻とし、帰宅時の蓄電池２１１の必要充電量に基づいて充電に必要な充電時間Ｔｙを算出し、算出した充電時間を充電開始時刻に加算することにより充電終了時刻を算出する。
【０３１２】
次に、ステップＳ７２において、時間調整部１２０は、作成した制御計画を参照し、充電時間Ｔｙ内に電気機器１０１の機能ブロック１１５の運転を予定しているか否かを判断する。
【０３１３】
図２９は、本発明の実施の形態５における運転時間と充電時間との一例を示す図である。図２９では、帰宅予想時刻から充電が開始されており、電気機器１０１の機能ブロック１１５の運転時間Ｔｘと充電時間Ｔｙとが重なっている。また、運転時間Ｔｘと充電時間Ｔｙとは、電力使用料金の最も安い時間帯Ｔｚ内に収まっており、運転開始時刻は、電力使用料金の最も安い時間帯Ｔｚの開始時刻ｔａよりも遅く、充電終了時刻は、電力使用料金の最も安い時間帯Ｔｚの終了時刻ｔｂよりも早くなっている。例えば、時間調整部１２０は、運転終了時刻が帰宅予想時刻よりも遅いか否かを判断することにより、充電時間Ｔｙ内に電気機器１０１の機能ブロック１１５の運転を予定しているか否かを判断する。
【０３１４】
ここで、充電時間Ｔｙ内に電気機器１０１の機能ブロック１１５の運転を予定していないと判断された場合（ステップＳ７２でＮＯ）、作成された制御計画を変更する必要がないため、制御計画作成処理を終了し、図２２のステップＳ６１に移行する。
【０３１５】
一方、充電時間Ｔｙ内に電気機器１０１の機能ブロック１１５の運転を予定していると判断された場合（ステップＳ７２でＹＥＳ）、ステップＳ７３において、時間調整部１２０は、電気機器１０１の機能ブロック１１５の運転に使用する電力と、蓄電池２１１の充電に使用する電力との合計使用電力が許容電力より大きいか否かを判断する。なお、合計使用電力は、図２２のステップＳ５８で算出される。ここで、合計使用電力が許容電力以下であると判断された場合（ステップＳ７３でＮＯ）、作成された制御計画を変更する必要がないため、制御計画作成処理を終了し、図２２のステップＳ６１に移行する。
【０３１６】
一方、合計使用電力が許容電力より大きいと判断された場合（ステップＳ７３でＹＥＳ）、ステップＳ７４において、時間調整部１２０は、電力使用料金の最も安い時間帯Ｔｚの開始時刻ｔａから帰宅予想時刻までの時間Ｔ２が、運転時間Ｔｘより長いか否かを判断する。ここで、電力使用料金の最も安い時間帯Ｔｚの開始時刻ｔａから帰宅予想時刻までの時間Ｔ２が、運転時間Ｔｘより長いと判断された場合（ステップＳ７４でＹＥＳ）、ステップＳ７５において、時間調整部１２０は、運転時間Ｔｘと充電時間Ｔｙとが重ならず、かつ運転時間Ｔｘが電力使用料金の最も安い時間帯Ｔｚに収まるように、運転時間Ｔｘを繰り上げるように制御計画を変更する。すなわち、時間調整部１２０は、電気機器１０１の機能ブロック１１５の運転開始予定時刻を、電力使用料金の最も安い時間帯Ｔｚの開始時刻ｔａに繰り上げる。
【０３１７】
図３０は、運転時間を繰り上げる場合の運転時間と充電時間との一例を示す図である。図３０では、電力使用料金の最も安い時間帯Ｔｚの開始時刻ｔａから電気機器１０１の機能ブロック１１５の運転が開始されており、運転時間Ｔｘと充電時間Ｔｙとは重なっていない。また、運転時間Ｔｘと充電時間Ｔｙとは、電力使用料金の最も安い時間帯Ｔｚ内に収まっている。
【０３１８】
なお、本実施の形態では、電気機器１０１の機能ブロック１１５の運転開始予定時刻を、電力使用料金の最も安い時間帯Ｔｚの開始時刻ｔａに一致させているが、本発明は特にこれに限定されず、運転時間Ｔｘと充電時間Ｔｙとが重ならないのであれば、電気機器１０１の機能ブロック１１５の運転開始予定時刻を、電力使用料金の最も安い時間帯Ｔｚの開始時刻ｔａより遅くしてもよい。例えば、時間調整部１２０は、電気機器１０１の機能ブロック１１５の運転終了予定時刻が帰宅予想時刻に一致するように、運転開始時刻を繰り上げてもよい。
【０３１９】
一方、電力使用料金の最も安い時間帯Ｔｚの開始時刻ｔａから帰宅予想時刻までの時間Ｔ２が、運転時間Ｔｘ以下であると判断された場合（ステップＳ７４でＮＯ）、ステップＳ７６において、時間調整部１２０は、充電終了時刻から電力使用料金の最も安い時間帯Ｔｚの終了時刻ｔｂまでの時間Ｔ３が、運転時間Ｔｘより長いか否かを判断する。ここで、充電終了時刻から電力使用料金の最も安い時間帯Ｔｚの終了時刻ｔｂまでの時間Ｔ３が、運転時間Ｔｘより長いと判断された場合（ステップＳ７６でＹＥＳ）、ステップＳ７７において、時間調整部１２０は、運転時間Ｔｘと充電時間Ｔｙとが重ならず、かつ運転時間Ｔｘが電力使用料金の最も安い時間帯Ｔｚに収まるように、運転時間Ｔｘを繰り下げるように制御計画を変更する。すなわち、時間調整部１２０は、電気機器１０１の機能ブロック１１５の運転開始予定時刻を、充電終了時刻に繰り下げる。これにより、時間調整部１２０は、充電終了後に電気機器１０１の機能ブロック１１５を運転するように制御計画を変更する。
【０３２０】
図３１は、運転時間を繰り下げる前の運転時間と充電時間との一例を示す図であり、図３２は、運転時間を繰り下げた後の運転時間と充電時間との一例を示す図である。
【０３２１】
図３１では、帰宅予想時刻から充電が開始されており、電気機器１０１の機能ブロック１１５の運転時間Ｔｘと充電時間Ｔｙとが重なっている。また、充電終了時刻から電力使用料金の最も安い時間帯Ｔｚの終了時刻ｔｂまでの時間Ｔ３は、運転時間Ｔｘより長くなっている。
【０３２２】
また、図３２では、充電終了時刻から電気機器１０１の機能ブロック１１５の運転が開始されており、運転時間Ｔｘと充電時間Ｔｙとは重なっていない。また、運転時間Ｔｘと充電時間Ｔｙとは、電力使用料金の最も安い時間帯Ｔｚ内に収まっている。
【０３２３】
なお、本実施の形態では、電気機器１０１の機能ブロック１１５の運転開始予定時刻を、充電終了時刻に一致させているが、本発明は特にこれに限定されず、運転時間Ｔｘと充電時間Ｔｙとが重ならず、かつ運転時間Ｔｘが電力使用料金の最も安い時間帯Ｔｚ内に収まるのであれば、電気機器１０１の機能ブロック１１５の運転開始予定時刻を、充電終了時刻より遅くしてもよい。例えば、時間調整部１２０は、電気機器１０１の機能ブロック１１５の運転終了予定時刻が、電力使用料金の最も安い時間帯Ｔｚの終了時刻ｔｂに一致するように、運転開始時刻を繰り下げてもよい。
【０３２４】
一方、充電終了時刻から電力使用料金の最も安い時間帯Ｔｚの終了時刻ｔｂまでの時間Ｔ３が、運転時間Ｔｘ以下であると判断された場合（ステップＳ７６でＮＯ）、ステップＳ７８において、時間調整部１２０は、運転時間Ｔｘと充電時間Ｔｙとが重ならないように、運転時間Ｔｘを繰り上げるように制御計画を変更する。すなわち、時間調整部１２０は、電気機器１０１の機能ブロック１１５の運転終了予定時刻が帰宅予想時刻に一致するように、運転時間Ｔｘを繰り上げる。
【０３２５】
図３３は、運転時間を繰り上げる前の運転時間と充電時間との一例を示す図であり、図３４は、運転時間を繰り上げた後の運転時間と充電時間との一例を示す図である。
【０３２６】
図３３では、帰宅予想時刻から充電が開始されており、電気機器１０１の機能ブロック１１５の運転時間Ｔｘと充電時間Ｔｙとが重なっている。また、電力使用料金の最も安い時間帯Ｔｚの開始時刻ｔａから帰宅予想時刻までの時間Ｔ２は、運転時間Ｔｘ以下であり、充電終了時刻から電力使用料金の最も安い時間帯Ｔｚの終了時刻ｔｂまでの時間Ｔ３は、運転時間Ｔｘ以下である。
【０３２７】
また、図３４では、電気機器１０１の機能ブロック１１５の運転終了後に充電が開始されており、運転時間Ｔｘと充電時間Ｔｙとは重なっていない。また、充電時間Ｔｙは、電力使用料金の最も安い時間帯Ｔｚ内に収まっているが、運転時間Ｔｘは、電力使用料金の最も安い時間帯Ｔｚ内に収まっていない。
【０３２８】
次に、ステップＳ７９において、時間調整部１２０は、電気機器１０１の機能ブロック１１５の運転開始予定時刻から電力使用料金の最も安い時間帯Ｔｚの開始時刻ｔａまでの時間Ｔ４が所定の許容時間より短いか否かを判断する。なお、許容時間は、帰宅してから充電を開始するまでに待つことが可能な時間であり、使用者によって予め設定される。
【０３２９】
ここで、電気機器１０１の機能ブロック１１５の運転開始予定時刻から電力使用料金の最も安い時間帯Ｔｚの開始時刻ｔａまでの時間Ｔ４が所定の許容時間より短いと判断された場合（ステップＳ７９でＹＥＳ）、時間調整部１２０は、運転開始予定時刻及び充電開始予定時刻を時間Ｔ４だけ遅らせるように制御計画を変更する。
【０３３０】
図３５は、運転時間及び充電時間を繰り下げた後の運転時間と充電時間との一例を示す図である。
【０３３１】
図３５では、運転開始予定時刻及び充電開始予定時刻が共に時間Ｔ４だけ繰り下げられている。特に、充電開始予定時刻は、帰宅予想時刻から時間Ｔ４だけ遅れている。すなわち、電気機器１０１の機能ブロック１１５の運転は、電力使用料金の最も安い時間帯Ｔｚの開始時刻ｔａから開始され、蓄電池２１１の充電は、電気機器１０１の機能ブロック１１５の運転終了後に、帰宅予想時刻から時間Ｔ４だけ遅れて開始される。運転時間Ｔｘと充電時間Ｔｙとは重なっておらず、運転時間Ｔｘ及び充電時間Ｔｙは、電力使用料金の最も安い時間帯Ｔｚ内に収まっている。
【０３３２】
電気機器１０１の機能ブロック１１５の運転開始予定時刻から電力使用料金の最も安い時間帯Ｔｚの開始時刻ｔａまでの時間Ｔ４が所定の許容時間以上であると判断された場合（ステップＳ７９でＮＯ）、ステップＳ８１において、時間調整部１２０は、現在時刻から帰宅予想時刻までの時間Ｔ１が運転時間Ｔｘより長いか否かを判断する。
【０３３３】
ここで、現在時刻から帰宅予想時刻までの時間Ｔ１が運転時間Ｔｘより長いと判断された場合（ステップＳ８１でＹＥＳ）、作成された制御計画を変更する必要がないため、制御計画作成処理を終了し、図２２のステップＳ６１に移行する。
【０３３４】
図３６は、運転時間を繰り上げた後、現在時刻から帰宅予想時刻までの時間Ｔ１が、運転時間Ｔｘより長くなっている場合の運転時間と充電時間との一例を示す図である。
【０３３５】
図３６では、現在時刻から帰宅予想時刻までの時間Ｔ１は、運転時間Ｔｘより長くなっている。電気機器１０１の機能ブロック１１５の運転終了後に充電が開始されており、運転時間Ｔｘと充電時間Ｔｙとは重なっていない。また、充電時間Ｔｙは、電力使用料金の最も安い時間帯Ｔｚ内に収まっているが、運転時間Ｔｘは、電力使用料金の最も安い時間帯Ｔｚ内に収まっていない。
【０３３６】
この場合、電気機器１０１の機能ブロック１１５は、電力使用料金の最も安い時間帯Ｔｚの一部を利用することができる。また、帰宅時に電気機器１０１の機能ブロック１１５の運転が終了しているため、帰宅後すぐに充電を開始することができる。
【０３３７】
一方、現在時刻から帰宅予想時刻までの時間Ｔ１が運転時間Ｔｘ以下であると判断された場合（ステップＳ８１でＮＯ）、ステップＳ８２において、時間調整部１２０は、充電後に電気機器１０１の機能ブロック１１５を運転するように制御計画を変更する。現在時刻から帰宅予想時刻までの時間Ｔ１が運転時間Ｔｘ以下である場合、充電開始前に電気機器１０１の機能ブロック１１５を運転することができない。そこで、現在時刻から帰宅予想時刻までの時間Ｔ１が運転時間Ｔｘ以下である場合、充電後に電気機器１０１の機能ブロック１１５を運転させる。
【０３３８】
図３７は、現在時刻から帰宅予想時刻までの時間Ｔ１が、運転時間Ｔｘ以下であり、運転時間を繰り下げた場合の運転時間と充電時間との一例を示す図である。
【０３３９】
図３７では、現在時刻から帰宅予想時刻までの時間Ｔ１は、運転時間Ｔ１以下となっている。蓄電池２１１の充電終了後に、電気機器１０１の機能ブロック１１５の運転が開始されており、運転時間Ｔｘと充電時間Ｔｙとは重なっていない。また、充電時間Ｔｙは、電力使用料金の最も安い時間帯Ｔｚ内に収まっているが、運転時間Ｔｘは、電力使用料金の最も安い時間帯Ｔｚ内に収まっていない。
【０３４０】
なお、図３７に示すように、電気機器１０１の機能ブロック１１５が、電力使用料金の最も安い時間帯Ｔｚの終了時刻ｔｂを超えて運転される場合、時間調整部１２０は、運転を継続するか否かを使用者に問い合わせてもよい。
【０３４１】
また、時間調整部１２０は、電力使用料金の最も安い時間帯Ｔｚの開始時刻ｔａから帰宅予想時刻までの時間の長さと、充電終了時刻から電力使用料金の最も安い時間帯Ｔｚの終了時刻ｔｂまでの時間の長さとを比較し、いずれか長い方に運転時間Ｔｘをずらしてもよい。
【０３４２】
また、図２４〜図２６及び図２９〜図３７において、電気機器１０１の機能ブロック１１５の運転時の消費電力及び充電時の消費電力を矩形で表しているが、実際には、消費電力は時間とともに変化するので矩形にはならない。電気機器１０１の機能ブロック１１５の消費電力が減少し、電気機器１０１の機能ブロック１１５の運転を充電と同時に行っても許容電力を超えない場合、電気機器１０１の機能ブロック１１５の運転が終了する前に充電を開始してもよい。
【０３４３】
また、電気料金が最も安い時間帯は、予め定められた時間帯（例えば、午後１１時〜午前７時）だけでなく、サーバから取得する、電力会社によって提供される当日の電気料金が最も安い時間帯であってもよい。
【０３４４】
また、電力制御システムが太陽光発電又は燃料電池を備える場合、電気料金が最も安い時間帯は、発電する電力が余剰となる時間帯、例えば晴天時の午前９時〜午後４時であってもよい。
【０３４５】
なお、本実施の形態では電力使用料金の最も安い時間帯で制御計画を作成したが、この時間内で制御計画を作成することが困難である場合は、２番目に電力使用料金の安い時間帯を含めて制御計画を作成する。たとえば、図２０において、午後１１時〜午前７時（電力使用料金が９円以下）の時間帯で制御計画が困難である場合には午前７時〜午前１０時の時間帯と午後５時〜午後１１時までの時間帯（電力使用料金が２３円以下）を含める。
【０３４６】
一般的に、電力使用料金の異なる時間帯が複数（少なくとも２つ以上）ある場合、まず最初に電力使用料金の最も安い時間帯で制御計画を作成し、最も安い時間帯の中で電気機器の運転と電気自動車の充電が困難であるときは２番目に電力使用料金の安い時間帯を含めて制御計画を作成する。これが困難であるときは３番目に電力料金の安い時間帯を含めて制御計画を作成し、以降、電力使用料金の安い時間帯を増やして、最終的には最も料金の高い時間帯を除く時間帯で制御計画を作成する。
【０３４７】
このように、電気料金の最も高い金額と最も低い金額との間に所定値を設定し、電気料金が所定値以下となる時間帯を選んで電気機器への電力供給開始時刻及び蓄電池への充電開始時刻を決定する。
【０３４８】
なお、所定値としては、（１）最も高い電気料金よりも小さい値、（２）最も高い電気料金のｘ％以下、（３）最も高い電気料金〜最も安い電気料金を並べたときの上位ｙ以下、などが考えられる。
【０３４９】
また時間帯別の電気料金が変動する場合は、今後の電気料金（たとえば現在から２４時間）が得られるときはそのあいだの電気料金の金額を参照して所定値を決定する。今後の電気料金が得られない場合は過去の電気料金（たとえば過去２４時間）を参照して所定値を決定する。もちろん、今後と過去の両方の電気金額を参照して所定値を決定してもよい。
【０３５０】
なお、本実施の形態では、簡便のために１つの電気機器と１つの電動車両とで説明しているが、運転する電気機器は複数であっても、充電する蓄電池は複数であっても上記の説明の組合せで解決できる。また、本実施の形態では、電気機器の運転と電動車両の充電とで説明しているが、電気機器を含めずに、複数の電動車両で制御計画を作成するときにも本発明は効果がある。
【０３５１】
なお、充電装置と電動車両との間で情報通信を仲介するサーバ装置を備えた電力制御システムにおいては、設置場所への到着時刻及び到着時点における車載バッテリーの残量をサーバ装置で算出するだけでなく、図２２、図２７及び図２８に記載のフローチャートの一部または全てをサーバ装置に行わせるシステムも可能である。
【０３５２】
（実施の形態６）
次に、本発明の実施の形態６について説明する。なお、実施の形態６において、実施の形態５と同じ構成については同じ番号を付与し、詳細な説明を省く。
【０３５３】
実施の形態５では、電気機器が充電装置を備えるとして説明しているが、充電装置と電気機器とが一体である必要はない。
【０３５４】
図３８は、本発明の実施の形態６における電力制御システムの構成の一例を示すブロック図である。図３８に示す電力制御システムは、電気機器１０７、アンペアブレーカ１０５、分岐ブレーカ１０６，１０８、総使用電力検知部１１４、電気自動車２０１及び充電装置１３１を備える。
【０３５５】
図３８に示すように、充電装置１３１は、充電機能ブロック（図１８の充電部１１３、充電制御部１１８及び第２の使用電力検知部１１９等）と時間調整部１２０とを備える。充電装置１３１は、接続部１１１、充電部１１３、充電制御部１１８、第２の使用電力検知部１１９、時間調整部１２０、使用者指示部１２４、第１の通信部１３２及び第２の通信部１３３を備える。電気機器１０７は、図示しないが機器制御ブロック（図１８の機能ブロック１１５、電気機器制御部１１６及び第１の使用電力検知部１１７等）を備える。また、総使用電力検知部１１４は、アンペアブレーカ１０５の下流側に配置される。
【０３５６】
第１の通信部１３２は、図１８に示す通信部１１２と同じ機能を有する。
【０３５７】
第２の通信部１３３は、電気機器１０７及び総使用電力検知部１１４から使用電力値を受信するとともに、充電装置１３１から電気機器１０７の運転を制御するための制御信号を電気機器１０７へ送信する。なお、総使用電力検知部１１４は、使用電力値を充電装置１３１へ送信する通信部を備え、電気機器１０７は、使用電力値を充電装置１３１へ送信するとともに、電気機器１０７の運転を制御するための制御信号を充電装置１３１から受信する通信部を備える。
【０３５８】
なお、本実施の形態６において、電気機器１０７が電気機器の一例に相当し、充電装置１３１が電力制御装置の一例に相当し、第１の通信部１３２が受信部の一例に相当する。
【０３５９】
実施の形態６において、充電装置１３１は、実施の形態５の図２２、図２７及び図２８に示すフローチャートに基づいて動作する。以下、実施の形態５の図２２、図２７及び図２８に示す処理とは異なる処理について説明する。
【０３６０】
ステップＳ５８において、時間調整部１２０は、使用電力の合計の見積もりの方法は、電気機器１０７が内蔵する第１の使用電力検知部で検知した使用電力値（又は、第１の使用電力検知部で記憶している過去の使用電力値の実績値、又は、第１の使用電力検知部で予測した使用電力値）を通信部１３３を介して取得し、取得した電気機器１０７の運転時の使用電力に、第２の使用電力検知部１１９で検知した使用電力値（又は、第２の使用電力検知部１１９で記憶している過去の使用電力値の実績値、又は、第２の使用電力検知部１１９で予測した使用電力値）を加えた合計使用電力の見積もりを行う。また、時間調整部１２０は、総使用電力検知部１１４で検知された使用電力値（又は、総使用電力検知部１１４で記憶している過去の使用電力値の実績値、又は、総使用電力検知部１１４で予測した使用電力値）を通信部１３３を介して取得し、取得した使用電力値を合計使用電力として用いてもよい。
【０３６１】
ステップＳ６５において、時間調整部１２０は、作成した制御計画を充電制御部１１８に伝えるとともに、作成した制御計画を通信部１３３を介して電気機器１０７の電気機器制御部に伝える。充電制御部１１８は、制御計画に基づいて蓄電池２１１を充電し、電気機器制御部は、制御計画に基づいて電気機器１０７を運転する。
【０３６２】
ステップＳ７３において、時間調整部１２０は、アンペアブレーカ１０５の電力（契約電力）を許容電力として、当該許容電力と合計使用電力とを比較する。
【０３６３】
実施の形態６において、上記以外の他の処理は実施の形態５と同じである。
【０３６４】
なお、本実施の形態では、簡便のために１つの電気機器と１つの電動車両とで説明しているが、運転する電気機器は複数であっても、充電する蓄電池は複数であっても上記の説明の組合せで解決できる。また、本実施の形態では、電気機器の運転と電動車両の充電とで説明しているが、電気機器を含めずに、複数の電動車両で制御計画を作成するときにも本発明は効果がある。
【０３６５】
以上のように、本実施の形態５及び６は、以下の効果を有する。
【０３６６】
（１）電動車両から到着予想時刻に関する情報が取得され、蓄電池の充電に必要な電力と他の電気機器の運転による使用電力との合計電力が所定値を超えないように、到着予想時刻以降で電気機器の運転開始時刻と蓄電池の充電開始時刻とが調整されるので、電動車両が到着する前に制御計画を作成し、作成した制御計画の実行を開始することができる。
【０３６７】
（２）電動車両から到着予想時刻と蓄電池の必要充電量とに関する情報が取得され、充電開始時刻から充電終了時刻までの間で、蓄電池の充電に必要な電力と他の電気機器の運転による使用電力との合計電力が所定値を超えないように、電気機器の運転開始時刻と蓄電池の充電開始時刻とが調整されるので、電動車両が到着する前に制御計画を作成し、作成した制御計画の実行を開始することができる。
【０３６８】
（３）時間調整部は、必要充電量に関する情報を取得して、蓄電池の充電を優先するか、電気機器の運転を優先するかを判断し、電気機器の運転開始時刻と蓄電池の充電開始時刻とを調整する。したがって、電動車両が到着する前に蓄電池と電気機器との優先順位を判断して制御計画を作成し、作成した制御計画を実行することができる。
【０３６９】
（４）到着予想時刻に関する情報は、電動車両の現在位置が取得され、取得された現在位置と充電装置の存在する地点との間の距離、電動車両の移動速度及び現在時刻に基づいて算出されるので、電動車両が搭載するＧＰＳ装置又はナビゲーション装置等によって電動車両の現在位置を取得することで到着予想時刻に関する情報が演算できる。
【０３７０】
（５）充電装置の存在する地点に到着したときの蓄電池の必要充電量に関する情報は、電動車両の現在位置が取得され、取得された現在位置と充電装置の存在する地点との間の距離、電動車両の移動に使用する電気エネルギー量及び現在の蓄電池の充電量に基づいて算出されるので、電動車両が搭載するＧＰＳ装置又はナビゲーション装置等によって電動車両の現在位置を取得することで蓄電池の必要充電量に関する情報が演算できる。
【０３７１】
（６）充電装置が電動車両から到着予想時刻の情報を取得するタイミングは、行き先が充電装置の存在する場所（電動車両に電力を供給する場所）に設定されたとき、電動車両が行き先に向かって移動を始めたとき、及び電力使用料金が変わる時刻の少なくとも１つを含み、当該タイミングで到着予想時刻が充電装置に送信されるので、最適なタイミングで制御計画を作成し、作成した制御計画の実行を開始することができる。
【０３７２】
（７）充電開始時刻を遅らせることが電動車両に報知されるので、電動車両の乗員は到着時刻を調整することができる。
【０３７３】
（８）電気機器は複数の運転単位で運転され、電動車両が到着してから充電が開始されるまでに所定の運転単位の運転が可能である場合は、蓄電池の充電より先に所定の運転単位の電気機器の運転を完了させることができる。
【０３７４】
（９）充電時間及び運転時間が電力使用料金の最も安い時間帯に収まるように充電及び運転の制御計画を作成し、作成した制御計画を実行することができる。
【０３７５】
（１０）より安価な電力使用料金で蓄電池の充電と電気機器の運転とを行うことができる。
【０３７６】
（１１）より安価な電力使用料金で蓄電池の充電と電気機器の運転とを行うために蓄電池の充電開始時刻を遅らせる場合は、充電開始時刻を遅らせることが電動車両に報知されるので、電動車両の乗員は到着時刻を調整することができる。
【０３７７】
（１２）電気機器の運転終了時刻が到着予想時刻よりも遅くなる場合は、運転終了時刻（充電開始時刻）を遅らせることが電動車両に報知されるので、電動車両の乗員は到着時刻を調整することができる。
【０３７８】
（１３）充電装置と電動車両とを接続する接続部が電気機器の屋外部分に設けられているので、大がかりな電気工事（例えば、分電盤のブレーカ増設工事、分電盤から屋外への配線工事、及び屋外の充電コンセントの設置工事）を必要とせずに簡単に充電設備を整えることが可能となる。
【０３７９】
（１４）到着予想時刻に関する演算及び蓄電池の必要充電量に関する演算は、充電装置、電動車両、及び、充電装置と電動車両との間で情報通信を仲介するサーバのいずれかで行われる。そのため、電動車両で到着予想時刻及び蓄電池の必要充電量の演算を行い、その演算結果を充電装置に送信してもよい。また、電動車両から現在位置等の情報を充電装置に送信して充電装置で到着予想時刻及び蓄電池の必要充電量の演算を行ってもよい。また、電動車両から現在位置等の情報をサーバに送信して、サーバで到着予想時刻及び蓄電池の必要充電量の演算を行い、その演算結果を充電装置に送信してもよい。
【０３８０】
また、家庭、事務所又は工場などにおいて使用する充電装置において、外出中の電気自動車から到着予想時刻を取得することで、到着前に他の電気機器の運転と蓄電池の充電との制御計画を作成して実行することができる。
【０３８１】
なお、本実施の形態１〜６において、電動車両の一例として電気自動車を用いて説明しているが、本発明は特にこれに限定されず、プラグインハイブリッド車、電動二輪車、又は電動自転車などの電力を利用して走行する車両を用いてもよい。
【０３８２】
なお、上述した具体的実施形態には以下の構成を有する発明が主に含まれている。
【０３８３】
本発明の一局面に係る電力制御システムは、電動車両と、前記電動車両が有する蓄電池への充電を制御するととともに、電気機器への電力供給を制御する電力制御装置とを備える電力制御システムであって、前記電動車両は、前記蓄電池と、前記蓄電池の充電に関する充電情報を取得する充電情報取得部と、前記電動車両に電力を供給する場所に前記電動車両が到着する前に、前記充電情報取得部によって取得された前記充電情報を送信する送信部とを含み、前記電力制御装置は、前記電動車両に電力を供給する場所に前記電動車両が到着する前に、前記送信部によって送信された前記充電情報を受信する受信部と、前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部とを含む。
【０３８４】
本発明の他の局面に係る電力制御方法は、電動車両が有する蓄電池への充電を制御するととともに、電気機器への電力供給を制御する電力制御方法であって、前記蓄電池の充電に関する充電情報を取得する充電情報取得ステップと、前記電動車両に電力を供給する場所に前記電動車両が到着する前に、前記充電情報取得ステップにおいて取得された前記充電情報を送信する送信ステップと、前記送信ステップにおいて送信された前記充電情報を受信する受信ステップと、前記受信ステップにおいて受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御ステップとを含む。
【０３８５】
これらの構成によれば、電力制御システムは、電動車両と、電動車両が有する蓄電池への充電を制御するととともに、電気機器への電力供給を制御する電力制御装置とを備える。電動車両において、蓄電池と、蓄電池の充電に関する充電情報が取得され、電動車両に電力を供給する場所に電動車両が到着する前に、取得された充電情報が送信される。そして、電力制御装置において、電動車両に電力を供給する場所に電動車両が到着する前に、送信部によって送信された充電情報が受信され、受信された充電情報に基づいて、電気機器への電力供給と蓄電池への充電とが所定時刻までに完了するように、電気機器への電力供給開始時刻及び蓄電池への充電開始時刻が決定される。
【０３８６】
したがって、電動車両に電力を供給する場所に電動車両が到着する前に、電気機器への電力供給と蓄電池への充電とが所定時刻までに完了するように、電気機器への電力供給開始時刻及び蓄電池への充電開始時刻が決定されるので、電気機器への電力供給と電動車両への充電とを効率よく行うことができる。
【０３８７】
また、上記の電力制御システムにおいて、前記充電情報は、現在の前記蓄電池の残量を含み、前記電力制御部は、現在の前記蓄電池の残量に応じて前記蓄電池への充電に要する時間を算出し、算出した前記蓄電池への充電に要する時間に基づいて、前記電気機器への電力供給開始時刻及び前記蓄電池への充電開始時刻を決定することが好ましい。
【０３８８】
この構成によれば、充電情報には、現在の蓄電池の残量が含まれる。そして、蓄電池の残量に応じて蓄電池への充電に要する時間が算出され、算出された蓄電池への充電に要する時間に基づいて、電気機器への電力供給開始時刻及び蓄電池への充電開始時刻が決定される。
【０３８９】
したがって、現在の蓄電池の残量に応じて算出された蓄電池への充電に要する時間に基づいて、電気機器への電力供給開始時刻及び蓄電池への充電開始時刻が決定されるので、蓄電池への充電に要する時間の長さに応じて電気機器への電力供給開始時刻を繰り上げたり、繰り下げたりすることができ、電気機器への電力供給と電動車両への充電とを効率よく行うことができる。
【０３９０】
また、上記の電力制御システムにおいて、前記充電情報は、前記電動車両の現在位置から前記電力制御装置が設置されている設置場所までの距離に基づいて求められた、前記設置場所への到着時点における前記蓄電池の残量の情報を含み、前記電力制御部は、前記設置場所への到着時点における前記蓄電池の残量に応じて前記蓄電池への充電に要する時間を算出し、算出した前記蓄電池への充電に要する時間に基づいて、前記電気機器への電力供給開始時刻及び前記蓄電池への充電開始時刻を決定することが好ましい。
【０３９１】
この構成によれば、充電情報には、電動車両の現在位置から電力制御装置が設置されている設置場所までの距離に基づいて求められた、設置場所への到着時点における蓄電池の残量の情報が含まれる。そして、設置場所への到着時点における蓄電池の残量に応じて蓄電池への充電に要する時間が算出され、算出された蓄電池への充電に要する時間に基づいて、電気機器への電力供給開始時刻及び蓄電池への充電開始時刻が決定される。
【０３９２】
したがって、設置場所への到着時点における蓄電池の残量に応じて算出された蓄電池への充電に要する時間に基づいて、電気機器への電力供給開始時刻及び蓄電池への充電開始時刻が決定されるので、より正確に電気機器への電力供給開始時刻及び蓄電池への充電開始時刻を決定することができる。
【０３９３】
また、上記の電力制御システムにおいて、前記充電情報は、前記電動車両の現在位置から前記電力制御装置が設置されている設置場所までの距離に基づいて求められた、前記電力制御装置が設置されている設置場所に前記電動車両が到着する到着予定時刻を含み、前記電力制御部は、前記蓄電池への充電開始時刻が前記到着予定時刻以降となり、かつ前記蓄電池の充電に必要な電力と、前記電気機器の運転による使用電力との合計電力が所定値を超えないように、前記電気機器への電力供給開始時刻及び前記蓄電池への充電開始時刻を決定することが好ましい。
【０３９４】
この構成によれば、充電情報には、電動車両の現在位置から電力制御装置が設置されている設置場所までの距離に基づいて求められた、電力制御装置が設置されている設置場所に電動車両が到着する到着予定時刻が含まれる。そして、蓄電池への充電開始時刻が到着予定時刻以降となり、かつ蓄電池の充電に必要な電力と、電気機器の運転による使用電力との合計電力が所定値を超えないように、電気機器への電力供給開始時刻及び蓄電池への充電開始時刻が決定される。
【０３９５】
したがって、電力制御装置が設置されている設置場所に電動車両が到着する到着予定時刻に基づいて、より正確な蓄電池への充電開始時刻を決定することができる。また、蓄電池の充電に必要な電力と、電気機器の運転による使用電力との合計電力が所定値を超えないように、電気機器の運転及び蓄電池の充電を制御することができる。
【０３９６】
また、上記の電力制御システムにおいて、前記充電情報は、前記電動車両の現在位置から前記電力制御装置が設置されている設置場所までの距離に基づいて求められた、前記設置場所への到着時点における前記蓄電池の残量の情報をさらに含み、前記電力制御部は、前記設置場所への到着時点における前記蓄電池の残量に応じて前記蓄電池への充電に要する時間を算出し、算出した前記蓄電池への充電に要する時間と、前記到着予定時刻とに基づいて、前記電気機器への電力供給開始時刻及び前記蓄電池への充電開始時刻を決定することが好ましい。
【０３９７】
この構成によれば、充電情報は、電動車両の現在位置から電力制御装置が設置されている設置場所までの距離に基づいて求められた、設置場所への到着時点における蓄電池の残量の情報がさらに含まれる。そして、設置場所への到着時点における蓄電池の残量に応じて蓄電池への充電に要する時間が算出され、算出された蓄電池への充電に要する時間と、到着予定時刻とに基づいて、電気機器への電力供給開始時刻及び蓄電池への充電開始時刻が決定される。
【０３９８】
したがって、設置場所への到着時点における蓄電池の残量に応じて算出された蓄電池への充電に要する時間と、到着予定時刻とに基づいて、電気機器への電力供給開始時刻及び蓄電池への充電開始時刻が決定されるので、より正確に電気機器への電力供給開始時刻及び蓄電池への充電開始時刻を決定することができる。
【０３９９】
また、上記の電力制御システムにおいて、前記電動車両と前記電力制御装置との通信を仲介するサーバ装置をさらに備え、前記サーバ装置は、前記電動車両の現在位置から前記電力制御装置が設置されている設置場所までの距離を前記電動車両から受信する距離情報受信部と、前記距離情報受信部によって受信された前記距離に基づいて、前記設置場所への到着時点における前記蓄電池の残量を算出する残量算出部と、前記残量算出部によって算出された前記蓄電池の残量を前記電力制御装置へ送信する残量送信部とを含むことが好ましい。
【０４００】
この構成によれば、電力制御システムは、電動車両と電力制御装置との通信を仲介するサーバ装置をさらに備える。サーバ装置において、電動車両の現在位置から電力制御装置が設置されている設置場所までの距離が電動車両から受信され、受信された距離に基づいて、設置場所への到着時点における蓄電池の残量が算出され、算出された蓄電池の残量が電力制御装置へ送信される。
【０４０１】
したがって、電動車両又は電力制御装置において、設置場所への到着時点における蓄電池の残量を算出する必要がなく、電動車両及び電力制御装置における処理を軽減することができる。
【０４０２】
また、上記の電力制御システムにおいて、前記電力制御装置は、時間帯に応じて異なる電気料金に関する電気料金情報を記憶する電気料金情報記憶部をさらに有し、前記電力制御部は、前記電気料金情報記憶部に記憶されている前記電気料金情報を参照し、電気料金が所定料金以下となる時間帯に前記蓄電池への充電が終了するように、前記電気機器への電力供給開始時刻及び前記蓄電池への充電開始時刻を決定することが好ましい。
【０４０３】
この構成によれば、電気料金情報記憶部は、時間帯に応じて異なる電気料金に関する電気料金情報を記憶している。そして、電気料金情報記憶部に記憶されている電気料金情報が参照され、電気料金が所定料金以下となる時間帯に蓄電池への充電が終了するように、電気機器への電力供給開始時刻及び蓄電池への充電開始時刻が決定される。
【０４０４】
したがって、電気料金が所定料金以下となる時間帯に蓄電池への充電が終了するので、蓄電池への充電に要する電気料金を低減することができる。
【０４０５】
また、上記の電力制御システムにおいて、前記電力制御部は、前記電気機器への電力供給終了後に前記蓄電池への充電を開始し、前記電気機器への電力供給開始時刻が、電気料金が所定料金以下となる時間帯に収まらない場合、電気料金が所定料金以下となる時間帯だけ前記電気機器に電力を供給することが好ましい。
【０４０６】
この構成によれば、電気機器への電力供給終了後に蓄電池への充電が開始される。そして、電気機器への電力供給開始時刻が、電気料金が所定料金以下となる時間帯に収まらない場合、電気料金が所定料金以下となる時間帯だけ電気機器に電力が供給されるので、電気機器への電力供給に要する電気料金を低減することができる。
【０４０７】
また、上記の電力制御システムにおいて、前記電力制御部は、前記電気機器への電力供給終了後に前記蓄電池への充電を開始し、前記電気機器への電力供給開始時刻が、電気料金が所定料金以下となる時間帯に収まらない場合、電気料金が所定料金以下となる時間帯よりも前の時間帯から前記電気機器への電力供給を開始することが好ましい。
【０４０８】
この構成によれば、電気機器への電力供給終了後に蓄電池への充電が開始される。そして、電気機器への電力供給開始時刻が、電気料金が所定料金以下となる時間帯に収まらない場合、電気料金が所定料金以下となる時間帯よりも前の時間帯から電気機器への電力供給が開始されるので、電気料金の低減よりも利便性を優先して電気機器の運転を制御することができる。
【０４０９】
また、上記の電力制御システムにおいて、前記電力制御部は、前記電気料金情報記憶部に記憶されている前記電気料金情報に基づいて、前記充電開始時刻より前に前記電気機器の運転を開始した場合の電力使用料金と、前記充電終了時刻より後に前記電気機器の運転を開始した場合の電力使用料金とを算出し、算出した電力使用料金の安い方を選択することが好ましい。
【０４１０】
この構成によれば、電気料金情報記憶部に記憶されている電気料金情報に基づいて、充電開始時刻より前に電気機器の運転を開始した場合の電力使用料金と、充電終了時刻より後に電気機器の運転を開始した場合の電力使用料金とが算出され、算出された電力使用料金の安い方が選択される。
【０４１１】
したがって、充電開始時刻より前に電気機器の運転を開始した場合と、充電終了時刻より後に電気機器の運転を開始した場合とのうちの電力使用料金が安い方が選択されるので、電気機器への電力供給に要する電気料金を低減することができる。
【０４１２】
また、上記の電力制御システムにおいて、前記電気機器は、湯を沸き上げるとともに、沸き上げた湯を貯える電気給湯機を含むことが好ましい。
【０４１３】
この構成によれば、湯を沸き上げるとともに、沸き上げた湯を貯える電気給湯機の運転を適切に制御することができる。
【０４１４】
本発明の他の局面に係る電力制御装置は、電動車両が有する蓄電池への充電を制御するととともに、電気機器への電力供給を制御する電力制御装置であって、前記電動車両に電力を供給する場所に前記電動車両が到着する前に、前記電動車両から送信された前記蓄電池の充電に関する充電情報を受信する受信部と、前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部とを備える。
【０４１５】
本発明の他の局面に係る電力制御プログラムは、電動車両が有する蓄電池への充電を制御するととともに、電気機器への電力供給を制御する電力制御プログラムであって、前記電動車両に電力を供給する場所に前記電動車両が到着する前に、前記電動車両から送信された前記蓄電池の充電に関する充電情報を受信する受信部と、前記受信部によって受信された前記充電情報に基づいて、前記電気機器への電力供給と前記蓄電池への充電とが所定時刻までに完了するように、前記電気機器への電力供給開始時刻及び前記蓄電池への充電開始時刻を決定する電力制御部としてコンピュータを機能させる。
【０４１６】
これらの構成によれば、電動車両に電力を供給する場所に電動車両が到着する前に、電動車両から送信された蓄電池の充電に関する充電情報が受信され、受信された充電情報に基づいて、電気機器への電力供給と蓄電池への充電とが所定時刻までに完了するように、電気機器への電力供給開始時刻及び蓄電池への充電開始時刻が決定される。
【０４１７】
したがって、電動車両に電力を供給する場所に電動車両が到着する前に、電気機器への電力供給と蓄電池への充電とが所定時刻までに完了するように、電気機器への電力供給開始時刻及び蓄電池への充電開始時刻が決定されるので、電気機器への電力供給と電動車両への充電とを効率よく行うことができる。
【０４１８】
なお、発明を実施するための形態の項においてなされた具体的な実施態様又は実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０４１９】
本発明に係る電力制御システム、電力制御方法、電力制御装置及び電力制御プログラムによれば、電気機器への電力供給と電動車両への充電とを効率よく行うことができ、電動車両が有する蓄電池への充電を制御するととともに、電気機器への電力供給を制御する電力制御システム、電力制御方法、電力制御装置及び電力制御プログラムとして有用である。
【図１】
0005563574.tif 000002
【図２】
0005563574.tif 000003
【図３】
0005563574.tif 000004
【図４】
0005563574.tif 000005
【図５】
0005563574.tif 000006
【図６】
0005563574.tif 000007
【図７】
0005563574.tif 000008
【図８】
0005563574.tif 000009
【図９】
0005563574.tif 000010
【図１０】
0005563574.tif 000011
【図１１】
0005563574.tif 000012
【図１２】
0005563574.tif 000013
【図１３】
0005563574.tif 000014
【図１４】
0005563574.tif 000015
【図１５】
0005563574.tif 000016
【図１６】
0005563574.tif 000017
【図１７】
0005563574.tif 000018
【図１８】
0005563574.tif 000019
【図１９】
0005563574.tif 000020
【図２０】
0005563574.tif 000021
【図２１】
0005563574.tif 000022
【図２２】
0005563574.tif 000023
【図２３】
0005563574.tif 000024
【図２４】
0005563574.tif 000025
【図２５】
0005563574.tif 000026
【図２６】
0005563574.tif 000027
【図２７】
0005563574.tif 000028
【図２８】
0005563574.tif 000029
【図２９】
0005563574.tif 000030
【図３０】
0005563574.tif 000031
【図３１】
0005563574.tif 000032
【図３２】
0005563574.tif 000033
【図３３】
0005563574.tif 000034
【図３４】
0005563574.tif 000035
【図３５】
0005563574.tif 000036
【図３６】
0005563574.tif 000037
【図３７】
0005563574.tif 000038
【図３８】
0005563574.tif 000039